(57)【要約】磁性粒子が開示される。磁性粒子は、約２０ｅｍｕ／ｇ〜約２５０ｅｍｕ／ｇの範囲の最大磁界強度、および約０ｅｍｕ／ｇ〜約３０ｅｍｕ／ｇの範囲の残留磁気を有する磁性物質を含む。磁性粒子は、リガンドを含有する外表面をさらに含む。リガンドは、サンプル溶液中の対象分析物と相互作用する。サンプルを処理する方法も開示され、方法は、粒子の外表面に付着したリガンドを有する磁性粒子を提供することと、対象分析物を含む溶液と磁性粒子を接触させて、リガンドと対象分析物を相互作用させることとを含む。【選択図】図１
2021531461.tif 000002
【特許請求の範囲】
【請求項１】
サンプル溶液を処理するための磁性粒子であって、
約２０ｅｍｕ／ｇ〜約２５０ｅｍｕ／ｇの範囲の最大磁界強度、および約０ｅｍｕ／ｇ〜約３０ｅｍｕ／ｇの範囲の残留磁気を有する磁性物質；および
前記磁性粒子の外表面に付着したリガンドであって、前記リガンドが、前記サンプル溶液中の対象分析物と相互作用する、リガンド、を含む、磁性粒子。
【請求項２】
前記磁性物質が、フェリ磁性物質を含む、請求項１に記載の磁性粒子。
【請求項３】
前記磁性物質が、Ｆｅ３Ｏ４、Ｆｅ２ＴｉＯ２、ＦｅＴｉＯ２、ＭｎＦｅ２Ｏ４、ＮｉＦｅ２Ｏ４、ＭｇＦｅ２Ｏ４、Ｆｅ７Ｓ８、Ｆｅ３Ｓ４、ＦｅＳ、またはＦｅＯＯＨを含む、請求項１または２に記載の磁性粒子。
【請求項４】
前記リガンドが、チオール基、ストレプトアビジン、アミン基、ヒドロキシル基、トシル基、エポキシ基、アルキル基、ビニル基、アリール基、酵素、タンパク質、デオキシリボ核酸、リボ核酸、免疫グロブリンＧ、カルボキシル基、またはモノクローナル抗体を含む、請求項１〜３のいずれか一項に記載の磁性粒子。
【請求項５】
前記リガンドが、カルボキシル基を含む、請求項１〜４のいずれか一項に記載の磁性粒子。
【請求項６】
前記最大磁界強度が、約３５ｅｍｕ／ｇ〜約１００ｅｍｕ／ｇの範囲である、請求項１〜５のいずれか一項に記載の磁性粒子。
【請求項７】
前記残留磁気が、約０ｅｍｕ／ｇ〜約１０ｅｍｕ／ｇの範囲である、請求項１〜６のいずれか一項に記載の磁性粒子。
【請求項８】
サンプルを処理する方法であって、
粒子の外表面に付着したリガンドを有する磁性粒子を提供することであって、前記リガンドは、前記サンプル中の対象分析物と相互作用し、前記磁性粒子が、約２０ｅｍｕ／ｇ〜約２５０ｅｍｕ／ｇの範囲の最大磁界強度と、約０ｅｍｕ／ｇ〜約３０ｅｍｕ／ｇの範囲の残留磁気を有する、提供すること；および
前記対象分析物を含む溶液と前記磁性粒子を接触させて、前記リガンドと前記対象分析物を相互作用させること、を含む、方法。
【請求項９】
前記磁性粒子を磁界に曝し、それによって前記磁性粒子を前記溶液から分離させることをさらに含む、請求項８に記載の方法。
【請求項１０】
前記対象分析物が、核酸である、請求項８または９のいずれか一項に記載の方法。
【請求項１１】
前記最大磁界強度が、約３５ｅｍｕ／ｇ〜約１００ｅｍｕ／ｇの範囲である、請求項８〜１０のいずれか一項に記載の方法。
【請求項１２】
前記残留磁気が、約０ｅｍｕ／ｇ〜約１０ｅｍｕ／ｇの範囲である、請求項８〜１１のいずれか一項に記載の方法。
【請求項１３】
前記磁性粒子が、フェリ磁性物質を含む、請求項８〜１２のいずれか一項に記載の方法。
【請求項１４】
前記磁性粒子が、Ｆｅ３Ｏ４、Ｆｅ２ＴｉＯ２、ＦｅＴｉＯ２、ＭｎＦｅ２Ｏ４、ＮｉＦｅ２Ｏ４、ＭｇＦｅ２Ｏ４、Ｆｅ７Ｓ８、Ｆｅ３Ｓ４、ＦｅＳ、またはＦｅＯＯＨを含む、請求項８〜１３のいずれか一項に記載の方法。
【請求項１５】
前記リガンドが、チオール基、ストレプトアビジン、アミン基、ヒドロキシル基、トシル基、エポキシ基、アルキル基、ビニル基、アリール基、酵素、タンパク質、デオキシリボ核酸、リボ核酸、免疫グロブリンＧ、カルボキシル基、またはモノクローナル抗体を含む、請求項８〜１４のいずれか一項に記載の方法。
【請求項１６】
磁性粒子を封入するコーティング層をさらに含む、請求項１に記載の磁性粒子。
【請求項１７】
前記コーティング層がシリカを含む、請求項１６に記載の磁性粒子。
【発明の詳細な説明】
【背景技術】
【０００１】
関連出願の相互参照
本出願は、２０１８年７月１９日に出願された“ＭＡＧＮＥＴＩＣ  ＰＡＲＴＩＣＬＥＳ  ＳＵＩＴＡＢＬＥ  ＦＯＲ  ＭＩＸＩＮＧ  ＩＮ  ＲＥＳＰＯＮＳＥ  ＴＯ  Ａ  ＣＨＡＮＧＩＮＧ  ＭＡＧＮＥＴＩＣ  ＦＩＥＬＤ”という題の米国仮特許出願第６２／７００，６５８号に対する優先権の利益を主張するものであり、当該開示内容は参照によりその全体が本明細書に組み込まれる。
【０００２】
磁性粒子（例えば、常磁性粒子および超常磁性粒子）は、化学アッセイおよび生物アッセイ、ならびに診断をはじめとする様々な状況でのサンプルの分析および調製に使用される。そうした常磁性粒子および超常磁性粒子は、マイクロ流体系でも使用されている。磁性粒子技術は、高性能（例えば、デバイスの感度および精度）で、アッセイプロトコルの自動化が容易な安定的技術である。一部の用途では、磁性粒子の表面は、好適なリガンドまたは受容体（例えば、抗体、レクチン、オリゴヌクレオチド、または他の親和性の群）で被覆されることができ、それらは混合物中の標的物質または分析物集団に選択的に結合することができる。一部の用途では、磁性粒子は、ある基質から別の基質への構成要素の物質移動に使用される。磁性粒子の分離および操作の技術における一つの重要な要素は、効率的に混合して、標的物質と粒子表面との間の反応速度を上げること、一つの基質から別の基質への物質移動を強化すること、または一つの媒体から別の媒体への分析物の移動を強化することである。
【０００３】
磁性粒子は、サンプルプレート用途でも使用されている。磁性サンプルプレートシステムでは、サンプルプレートは複数の固定磁界の磁石を含み、それら磁石は、サンプルウェルの間で突き出るように配置されるか、または環状の磁石内にサンプルウェルが位置付けられるように配置される。サンプルウェル内の磁性粒子は、サンプルプレートの近くに永久磁石を配置して混合を促進することによって攪拌されることができる。他のタイプの自動混合装置は、一般的に、機械的攪拌（例えば、サンプルプレートを振ること）によって混合を達成しようとするものである。サンプル処理後、磁石を使用して粒子をサンプルウェルの側面に固定し、サンプルの液体を除去することができる。しかしながら、従来的な磁性サンプルプレート用途で使用される固定磁界磁石は、しっかりと混合する能力を有していない。例えば、磁性粒子は概して、サンプルウェルの個別の領域で凝集およびクラスター化する傾向がある。従来的な混合方法を使用する場合、磁性粒子は小さな乱流領域を介して液体と共に移動してしまうため、混合は非効率となる。それに加えて、プレートそれ自体も分析工程ごとに動かさなければならず、大幅な自動化が必要となってしまう。
【発明の概要】
【課題を解決するための手段】
【０００４】
したがって、サンプル流体の超高速均質混合を含む、磁性粒子を使用したサンプルの混合および分離に関して全体的な速度と効率を改善するニーズが存在する。さらに外部磁界に対する高い応答性を有し、残留磁気が低い磁性粒子に対するニーズも存在する。また、混合後に所与の時間、懸濁状態を保持する磁性粒子に関するニーズも存在する。また、液体とともに混合するのではなく、液体を通じて磁性粒子を混合する混合方法に対するニーズも存在する。
【０００５】
本発明の実施例は、これらおよび他の課題に、個々におよび集合的に対処する。
【０００６】
第一の態様は、磁性粒子に関する。磁性粒子は、約２０ｅｍｕ／ｇ〜約２５０ｅｍｕ／ｇの範囲の最大磁界強度、および約０ｅｍｕ／ｇ〜約３０ｅｍｕ／ｇの範囲の残留磁気を有する磁性物質を含む。磁性粒子は、リガンドを含有する外表面をさらに含む。リガンドは、サンプル溶液中の対象分析物と相互作用する。
【０００７】
別の態様は、サンプルを処理する方法に関する。当該方法は、粒子の表面上にリガンドを有する磁性粒子を提供することを含む。リガンドは、サンプル中の対象分析物と選択的に相互作用する。磁性粒子は、約２０ｅｍｕ／ｇ〜約２５０ｅｍｕ／ｇの範囲の最大磁界強度、および約０ｅｍｕ／ｇ〜約３０ｅｍｕ／ｇの範囲の残留磁気を有する。当該方法はさらに、対象分析物を含む溶液と磁性粒子を接触させて、リガンドと対象分析物を相互作用させることを含む。
【０００８】
別の態様は、サンプルを処理するための方法に関する。最初に、フェリ磁性粒子とサンプルを含む容器が提供される。当該容器を変化する磁界に曝し、それによって、当該容器中のフェリ磁性粒子を移動させてサンプルを処理する。
【０００９】
これらおよび他の実施例は、図面を参照して、以下にさらに詳細に説明される。
【図面の簡単な説明】
【００１０】
【図１】図１Ａ〜１Ｄは、本開示による様々なタイプの磁性体の図である。
【００１１】
【図２】図２は、本開示によるサンプル処理システムのブロック図である。
【００１２】
【図３】図３は、本開示による、ラジアン対磁界密度のプロットであり、隣接する電磁石間で磁界密度がどのように変化するかを示す。
【００１３】
【図４】図４Ａ〜４Ｄは、本開示による実施例８の様々な態様による、ＤＮＡ濃度を示すプロットである。
【００１４】
【図５】図５は、本開示による実施例９による、トリプシン消化に関する高速液体クロマトグラフィー（ＨＰＬＣ）の結果を示す。
【発明を実施するための形態】
【００１５】
本教示は概して、サンプルを含有する容器の周辺に配置された磁性アセンブリの影響下で移動する磁性粒子（例えば、フェリ磁性粒子）を利用して、サンプル（例えば、流体サンプル）を混合、分離、ろ過、または別手段により処理するサンプル処理方法およびサンプル処理システムに関する。例えばフェリ磁性粒子などの磁性粒子は、本開示に従う多くの実施形態、態様、および実施例と併せて記載されるが、例えば強磁性粒子、常磁性粒子、および超常磁性粒子などの磁性粒子、または様々なクラスの磁性粒子の混合物も使用され得ることが予期される。したがって、フェリ磁性粒子のいずれか特定の列挙は、強磁性粒子、常磁性粒子、超常磁性粒子、またはそれらの混合物に等しく適用され得る。
【００１６】
本教示は、サンプル体積内の磁界強度の増加を含む、複数の技術的利点を提供し、それによって公知の磁性粒子混合システムと比較して、混合の改善、物質移動の改善、および／または電力消費量の低下を可能にする。フェリ磁性粒子は、典型的な常磁性粒子と比較して強い磁気応答を示すことができる。それにより、変化する磁界を生じさせる磁性アセンブリを使用して、サンプルを通してフェリ磁性粒子をより効率的に混合することができる。さらにフェリ磁性粒子は、典型的な強磁性粒子にあるような、磁気誘導性凝集による凝集をしない。
【００１７】
本開示の実施例を論じる前に、いくつかの用語を、さらに詳細に記載し得る。
【００１８】
本明細書で使用される場合、「フェリ磁性粒子」は、フェリ磁性物質を含む粒子を指す。フェリ磁性粒子は、外部磁界（例えば、変化する磁界）に応答することができるが、外部磁界が取り除かれると消磁され得る。したがってフェリ磁性粒子は、外部磁界によりサンプルを通して効率的に混合されるだけでなく、磁石または電磁石を使用してサンプルから効率的に分離もされるが、磁気誘導性凝集が発生しなければ、懸濁状態を維持することもできる。
【００１９】
本明細書に記載のフェリ磁性粒子は、磁界に充分に応答し、サンプルを通して効率的に移動することができる。概して、磁界強度の範囲は、粒子を移動させることができる限りにおいて任意の電磁石と同じ範囲であり得る。例えば、磁界は、約１０ｍＴ〜約１００ｍＴ、約２０ｍＴ〜約８０ｍＴ、および約３０ｍＴ〜約５０ｍＴの強度を有する。一部の例では、より強力な電磁石を使用して、応答性の低い微粒子を混合することができる。一部の例では、磁界は、可能な限りサンプル内に集束されることができる。また、磁気の強度は距離の二乗に伴って減少するため、電磁石を可能な限りサンプルに近づけることができる。
【００２０】
一部の例では、フェリ磁性粒子はフェライトを含む。フェライトは、金属原子、非金属原子、またはメタロイド原子の無機化合物と組み合わされた鉄の酸化物を含むセラミック物質を含む。例えばフェライトは、バリウム、マンガン、ニッケル、亜鉛、チタン、または任意の他の適切な金属元素などの一つ以上の追加の金属元素と混合された酸化鉄（ＩＩＩ）（Ｆｅ２Ｏ３）を含んでもよい。フェライトの他の例としては、Ｆｅ２ＴｉＯ２、ＦｅＴｉＯ２、ＭｎＦｅ２Ｏ４、ＮｉＦｅ２Ｏ４、ＭｇＦｅ２Ｏ４が挙げられる。フェライトのさらなる例としては、例えばＦｅ７Ｓ８、Ｆｅ３Ｓ４、ＦｅＳ、またはＦｅＯＯＨなど、硫化物またはオキシ水酸化物を含む鉄コアが挙げられる。
【００２１】
マグネタイト（Ｆｅ３Ｏ４）は、本明細書に記載の実施例において有用なフェリ磁性物質のもう一つの例であり、フェライトの例である。マグネタイトは、Ｆｅ２＋イオンおよびＦｅ３＋イオンの両方を含有する。一部の例では、Ｆｅ２＋イオンおよびＦｅ３＋イオンの電子スピンは、本明細書に記載されるように、マグネタイトがフェリ磁性となるように結晶構造中で連結され得る。しかし一部の例では、フェリ磁性粒子は、任意のフェリ磁性物質（例えば、フェライト）を含む。一部の例によると、フェリ磁性物質（例えば、フェライト）は、マグネタイト（Ｆｅ３Ｏ４）ではない場合があるが、一部の例では、マグネタイトは好適なフェリ磁性物質である。
【００２２】
フェライトは、その磁気保磁性（例えば、消磁されることなく外部磁界に対抗する当該物質の能力）に基づき、二つの主要なファミリー（ハードフェライトおよびソフトフェライト）に分類されることができる。
【００２３】
ハードフェライトは、高い磁気保磁性を有するだけでなく、磁化された後にも高い残留磁気を有する。ハードフェライトは、外部磁界が無くても容易に消磁されず、高い残留磁気を有し得るため、永久磁石の作製に使用することができる。ハードフェライトの例としては、ストロンチウムフェライトおよびバリウムフェライトが挙げられる。
【００２４】
ソフトフェライトは、磁気保磁性が低い。ソフトフェライトは、磁化された後の残留磁気も低い。ソフトフェライトの磁化は、ハードフェライトを変化させるよりも簡単である。さらにソフトフェライトの磁化は、（例えば、ヒステリシス損失を介して）大量のエネルギーを浪費することなく、簡単に方向を逆転させることができる。ソフトフェライトは高い電気抵抗率も有することができ、これにより、もう一つのエネルギー損失源である物質中の渦電流の形成が予防される。
【００２５】
ソフトフェライトとしては、マンガン−亜鉛（ＭｎＺｎ）フェライトおよびニッケル−亜鉛（ＮｉＺｎ）フェライトが挙げられる。したがって、一部の例では、フェリ磁性粒子は、ＭｎＺｎフェライトを含む。他の例では、フェリ磁性粒子は、ＭｉＺｎフェライトを含む。ＭｎＺｎフェライトおよび／またはＮｉＺｎフェライトを含むフェリ磁性粒子は、外部磁界の存在下で磁化されることができる。したがって、外部磁界の存在下では移動することができ、しかし残留磁気は低いため、外部磁界が取り除かれた後は、磁気誘導性の凝集が起因となる凝集をしない。
【００２６】
いくつかのフェライトは、セミハードフェライトとみなされ得る。セミハードフェライトは、ソフトフェライトの性能とハードフェライトの性能の間の性能を有する。例えば、コバルトフェライト（ＣｏＦｅ２Ｏ４）はセミハードフェライトであり、これは、外部磁界（例えば、磁性アセンブリによって生成された変化磁界）の存在下で磁化されることができるが、外部磁界が取り除かれた後の残留磁気は低いため、コバルトフェライトコアを含むフェリ磁性粒子は、磁気誘導性凝集を起因とした凝集はしない。
【００２７】
「磁性ドメイン」は、正味の磁化が等しい方向にある磁性物質内の領域である。磁性ドメインは、強磁性物質中、およびフェリ磁性物質中に存在し得る。物質は、多くの磁性ドメインを含み得る。磁性ドメイン内の磁化は、等しい方向を指し得る。物質中の各磁性ドメインは、異なる方向に向けられ得る。外部磁界の存在下では、磁性物質中のドメインを回転させて、各ドメインの磁化と外部の磁界が一致するようにすることができる。
【００２８】
「残留磁気」という用語は、磁界が取り除かれた後に物質が保持する残留磁力を指す。磁界が取り除かれた後の残留磁気が高い物質は、大きな磁界強度を保持している。一方で磁界が取り除かれた後の残留磁気が低い物質は、小さい、またはゼロの磁界強度を有している。本明細書で使用される場合、「官能基被覆表面」という用語は、遊離官能基を有する各部分で被覆された表面を指し、遊離官能基はフェリ磁性粒子に結合されている。その結果として、フェリ磁性粒子の表面は、官能基含有部分で被覆される。官能基は、溶液中の生体分子に対する生体親和性吸収物質として作用する。一つの例では、官能基は、カルボン酸である。遊離カルボン酸官能基を有する好適な部分は、コハク酸部分である。コハク酸部分において、カルボン酸基のうちの一つは、アミド結合を介してアミノシランのアミンに結合され、第二のカルボン酸は非結合状態となる。その結果としてフェリ磁性粒子の表面に付着または連結される遊離カルボン酸基が生じる。フェリ磁性粒子表面のコーティングに使用され得る他の適切な官能基としては、限定されないが、チオール基、ストレプトアビジン、アビジン、ニュートラアビジン、カプタビジン（ｃａｐｔａｖｉｄｉｎ）、アミン基、ヒドロキシル基、トシル基、エポキシ基、アルキル基、ビニル基、またはアリール基が挙げられる。さらなる例によれば、表面は、例えば酵素、タンパク質、デオキシリボ核酸（ＤＮＡ）、リボ核酸（ＲＮＡ）、免疫グロブリンＧ、または抗体（例えば、モノクローナル抗体）などの生体分子で被覆され得る。
【００２９】
本開示で使用されるサンプルは、流体サンプルであってもよく、例えば、生体サンプルまたは化学的サンプルであってもよい。本明細書で使用される場合、生体サンプルは、生物学的流体を含むことができ、限定されないが、血液、血漿、血清、または他の体液もしくは排出物、例えば限定されないが唾液、尿、脳脊髄液、涙液、汗、消化管液、羊水、粘液、胸水、皮脂油、呼気などが挙げられる。化学的サンプルとしては、水サンプルを含む、検出される化学物質を含む任意の適切なタイプのサンプルが挙げられる。
【００３０】
適切な生体サンプルとしてはさらに、哺乳動物の組織、細胞培養物、または体液のいずれかから得られた細胞から調製された溶解物、アガロースゲルまたはポリアクリルアミドゲルから溶出された核酸サンプル、ポリメラーゼ連鎖反応（ＰＣＲ）増幅またはＤＮＡサイズ選択手順からのいずれかから生成された複数種のＤＮＡ分子を含有する溶液、およびシーケンシング後反応から生成された溶液も挙げられる。適切なサンプルは、生体分子（例えば、タンパク質、多糖類、脂質、低分子量酵素阻害剤、オリゴヌクレオチド、プライマー、鋳型）と、例えば標的核酸分子が単離され得るアガロース、ポリアクリルアミド、微量金属、および有機溶媒などの他の物質との混合物であってもよい。
【００３１】
「分析物」という用語は、その存在、不在、または濃度が本開示の例に従って決定される物質を指す。分析物の例としては、限定されないが、例えばホルモン（例えば、甲状腺ホルモン、エストラジオール、テストステロン、プロゲステロン、エストロゲンなど）、代謝物（例えば、グルコースまたはエタノールなど）、タンパク質、脂質、炭水化物および糖類、ステロイド（例えば、ビタミンＤなど）、ペプチド（例えば、プロカルシトニンなど）、ならびに核酸などの生体分子が挙げられる。分析物はまた、細胞、細胞構成要素（例えば、細胞膜など）、胞子、バイオマーカー（例えば、抗生物質などの医薬品、ベンゾジアゼピン）、薬剤（例えば、免疫抑制薬、麻酔薬、オピオイドなど）、例えば、プロモーター、アクチベーター、インヒビター、または補因子などの酵素プロセスにおいて調節効果を有する分子、微生物、例えば、ウイルス（ＥＢＶ、ＨＰＶ、ＨＩＶ、ＨＣＶ、ＨＢＶ、インフルエンザ、ノロウイルス、ロタウイルス、アデノウイルスなど）、細菌（ヘリコバクター・ピロリ、連鎖球菌、ＭＲＳＡ、クロストリジウム・ディフィシル、レジオネラなど）、真菌、寄生虫（プラスモジウムなど）であってもよい。本開示の例はまた、同じクラスまたは異なるクラスの複数の分析物の同時分析（例えば、代謝物とタンパク質の同時分析）を可能にし得る。本開示の例において、例えばバイオマーカーなどの特定の分析物の分析は、特定の状態（例えば、疾患）が、当該分析物を含有するサンプルと関連付けられることを示す場合がある。
【００３２】
本明細書で使用される場合、「単離された」という用語は、問題となっている物質が、自然界に存在している環境とは異なる物理的環境に存在すること、および／または他の非標的分子から完全もしくは部分的に分離または精製されたことを意味することが意図される。
【００３３】
本明細書で使用される場合、「選択的な」および「選択的に」という用語は、例えばＤＮＡ分子などの特定の生体分子種を、例えば分子サイズなどの特定の性質に基づき、例えば宿主細胞溶解物および他の宿主細胞構成要素などの分子種を含む組み合わせ、または分子種の混合物である組み合わせから単離する能力を指す。一部の例では、特定の種の選択的単離は、適切な沈殿試薬（例えば、ポリアルキレングリコール塩）の使用を介して、本開示のフェリ磁性粒子表面への特定のＤＮＡ種（例えばサイズに基づき特徴付けられる）の沈殿および吸着促進を生じさせることによって達成される。
【００３４】
「分析器」という用語は、例えば生体サンプルなどのサンプルを分析する能力を有する任意の好適な機器を含む。分析器の例としては、質量分析計、免疫分析器、血液分析器、微生物分析器、および／または分子生物分析器が挙げられる。
【００３５】
Ｉ．磁性粒子
本教示の様々な態様によれば、例えば、フェリ磁性粒子などの磁性粒子を、容器全体にわたって混合することができる。フェリ磁性粒子は、磁性アセンブリによって生成された変化磁界によって操作（例えば、移動）される。
【００３６】
本開示のフェリ磁性粒子は、磁界に対して高い応答性を有し、その結果、当該フェリ磁性粒子は、外的な変化磁界の存在下でサンプル内で容易に混合される。フェリ磁性粒子はまた残留磁力が低いため、外的な変化磁界が取り除かれたとき、当該フェリ磁性粒子同士は互いに磁気的に引き付けられない。その結果として、フェリ磁性粒子は、混合後、磁気誘導性の凝集を発生させることなく懸濁状態を維持することができ、結合または溶出を阻害しない。
【００３７】
さらに、フェリ磁性粒子は、混合後、適切な時間、サンプル中で懸濁状態を維持するはずである。当業者であれば、フェリ磁性粒子の多くの特性が、この性能に影響を及ぼすことを認識するであろう。例えば、フェリ磁性粒子の密度、ならびに残留磁気（例えば、残留磁力）は、変化磁界が取り除かれた後のサンプル中の懸濁時間の長さに影響を及ぼす可能性がある。一部の例では、フェリ磁性粒子をサンプルから分離することが望ましい。これらの例では、フェリ磁性粒子は、本明細書に記載されるように、例えば磁石または電磁石などの収集構成要素を使用して、容器から磁気的に分離されてもよい。
【００３８】
フェリ磁性粒子は様々な形状であってもよく、規則的または不規則な形状であってもよい。一部の例では、形状は、粒子の表面積を最大化する。例えば、フェリ磁性粒子は、球状、棒形状、楕円形、または任意の他の適切な形状であってもよい。フェリ磁性粒子は、コアの構成によって決定され得る様々な密度であってもよい。一部の例では、フェリ磁性粒子の密度は、本明細書に記載されるように、コーティングを用いて調整されてもよい。
【００３９】
一部の例では、フェリ磁性粒子は、標的分析物との効率的な結合が可能となるような充分な表面積を有しており、さらには、標的分析物（例えば、生体分子）と可逆的または不可逆的に結合する能力を有する表面を有することを特徴とする。一部の例では、フェリ磁性粒子の表面積は、約０．１ｍ２／ｇ〜約５００ｍ２／ｇ、約５０ｍ２／ｇ〜約２００ｍ２／ｇ、または約１５０ｍ２／ｇ〜約１７５ｍ２／ｇの範囲であってもよい。
【００４０】
好適なフェリ磁性粒子は、例えば、磁気的手段またはろ過などによって溶液から分離することが困難ではないサイズの粒子であってもよい。さらに、フェリ磁性粒子は、表面積が最小化されるほど大きくてはならず、またはナノスケールでの操作もしくはマイクロスケールでの操作に適さないほど大きくてはならない。
【００４１】
適切なサイズは、約１ｎｍの平均直径〜約１ｍｍの平均直径、約５ｎｍ〜約５０μｍ、または約１００ｎｍ〜約１００μｍの範囲である。好適なものは、約１μｍ〜約１０μｍである。例えば一部の例では、フェリ磁性粒子は、ナノ粒子（例えば、１μｍ未満だが、１ｎｍよりも大きい平均直径を有する粒子）であってもよい。他の例では、フェリ磁性粒子は、マイクロ粒子（例えば、１μｍより大きいが、１００μｍよりも小さい平均直径を有する粒子）であってもよい。一般的に、大きなフェリ磁性粒子（約１ｍｍのサイズ）は、細胞分画、組織消化、液体混合などに有用である。
【００４２】
フェリ磁性粒子は、実質的に固体であってもよく、またはある程度の多孔性を有してもよい。フェリ磁性粒子がある程度の多孔性を含む場合、個々の孔の孔サイズは、約５Å〜約１０００Å、約５０Å〜約５００Åの範囲であってもよい。少なくとも複数の孔は、通り抜けの孔であってもよい（例えば、反対表面まで完全に貫通する）。フェリ磁性粒子の孔サイズまたは総多孔性は、多くの適切な方法に従って決定することができる。例えば、理想的な（例えば、非多孔性）フェリ磁性粒子のバルク体積を決定し、その後、実際の多孔性骨格物質の体積を決定してもよい。次いで、多孔性は、理想的なフェリ磁性粒子から、実際の多孔性骨格物質の体積を差し引くことにより計算される。フェリ磁性粒子の多孔性、または個々の孔サイズは、顕微鏡を使用し、画像を処理して個々の孔を測定する光学的手段を介して決定されてもよい。
【００４３】
本明細書に記載のフェリ磁性粒子は、いくつかの異なる物質を含んでもよい。物質の混合物が存在する限りにおいて、フェリ磁性粒子の総磁性含有量は、フェリ磁性粒子の少なくとも５０ｗｔ％、フェリ磁性粒子の少なくとも７０ｗｔ％、またはさらにはフェリ磁性粒子の１００ｗｔ％を構成してもよい。フェリ磁性粒子は、本明細書に記載されるもののいずれを含んでもよい。フェリ磁性粒子のバランスを構成する非磁性物質は、例えば、本明細書に記載のコーティング物質のいずれを含んでもよい。非磁性物質は、フェリ磁性粒子の磁性部分を封入するためのコーティングとして使用されてもよく、非磁性物質は、対象分析物と相互作用し、結合する官能性構成要素として使用されてもよい。非磁性物質は、充填構成要素としての機能を果たしてもよい。
【００４４】
Ａ．磁力
当業者であれば、常磁性、超常磁性、強磁性、反強磁性、およびフェリ磁性を含む多くの様々な型を認識している。図１は、様々な異なるタイプの磁性の例を示す。図１Ａ〜１Ｄの矢印は、様々な物質中の粒子、例えば電子の磁気モーメントを示しているが、原子および分子も磁気モーメントを創出し得ることを理解されたい。各矢印は、磁気強度（矢印の長さ）および磁気モーメントの方向（矢印の方向）を表す。
【００４５】
常磁性は、物質中の不対電子の存在下で発生する。図１Ａは、外部磁界の非存在下での常磁性物質における磁気モーメントを示す。磁気モーメントは整列せず、熱運動によってランダムな方向を指しうる。物質は、磁気モーメントがランダムな方向を指し、互いにキャンセルしてしまうために、ゼロの正味磁力を有する。外部磁界の存在下で、磁気モーメントは、外部磁界と平行に整列する。次いで常磁性物質は、外部磁界の方向に誘導磁界を形成し、正味の引力を生じさせる。常磁性物質は、外部磁界の存在下でのみ磁力を示す。常磁性物質は、弱磁性応答性であり得る。常磁性物質の例としては、アルミニウム、酸素、チタン、および酸化鉄（ＦｅＯ）が挙げられる。
【００４６】
強磁性である物質は、外部磁界により磁化されることができ、例えば、物質の磁気モーメントは、同じ方向で整列し、外部磁界が取り除かれた後も磁化状態を維持する。図１Ｂは、外部磁界の非存在下での強磁性物質における、多くの整列した磁気モーメントを示す。強磁性物質は、整列した磁気モーメントの方向に誘導磁界を形成することができる。
【００４７】
強磁性は、物質の化学構造だけでなく、物質の結晶構造および微細構造の特性でもある。例えば、強磁性ではない要素を含む強磁性金属合金が存在する。強磁性物質は、外部磁界に対する感受性が高く、外部磁界が取り除かれた後でも磁界を維持する傾向がある。強磁性物質を含む粒子は、磁界を保持しているために、磁気誘導性の凝集を受けやすい可能性がある。したがって、磁性ミキサーがサンプル全体にわたって強磁性粒子を混合した後でも、強磁性粒子は磁化状態を維持し、まとまって塊化する可能性がある。強磁性物質の例としては、鉄、ニッケル、およびコバルトが挙げられる。
【００４８】
フェリ磁性物質は、反対の磁気モーメントを有する複数の原子集団を有し得る。図１Ｄは、整列せず、不均等な二つの異なる原子集団の磁気モーメントを示す。一つの集団の磁気モーメントは、もう一つの集団の磁気モーメントよりも強い可能性があり、ゆえに正味の磁力が生じ得る。フェリ磁性物質の結晶構造は、磁気モーメントの磁性副格子を含み、ここで当該二つの副格子の磁気モーメントは整列しておらず、等しくもない。対立する磁気モーメントは不等であり、自然発生的な磁化が残留する。フェリ磁性物質はさらに、電気抵抗率が高い可能性がある。外部磁界がフェリ磁性物質から取り除かれた後、具体的なフェリ磁性物質に応じて、当該フェリ磁性物質は磁化を維持するか、または消磁される可能性もある。フェリ磁性物質の例は、フェライトである。
【００４９】
図１Ｃは、反強磁性物質における磁気モーメントを示す。二つの異なる集団は、整列していないが、等しい。一つの集団の磁気モーメントは一つの方向を指し、一方で二つ目の集団の磁気モーメントは反対の方向を指す。これら二つの集団の磁気モーメントの強度は等しく、したがって、外部磁界の存在下では、反強磁性粒子は誘導磁界を生成しない。
【００５０】
超常磁性は、第五のタイプの磁気挙動であり、例えば、５０ｎｍよりも小さいサイズの強磁性物質またはフェリ磁性物質のナノ粒子でも、一つの磁性ドメインを含むために充分に小さい。超常磁性物質は、磁界の外側に常磁性様の挙動を呈することができるが、外部磁界の存在下では、常磁性物質よりも磁気応答性が高い可能性がある。
【００５１】
様々な例によれば、フェリ磁性粒子の磁性強度は、約２０ｅｍｕ／ｇ、約２５ｅｍｕ／ｇ、約３０ｅｍｕ／ｇ、約３５ｅｍｕ／ｇ、約４０ｅｍｕ／ｇ、約４５ｅｍｕ／ｇ、約５０ｅｍｕ／ｇ、約７５ｅｍｕ／ｇ、約１００ｅｍｕ／ｇ、約１５０ｅｍｕ／ｇ、約１７５ｅｍｕ／ｇ、約２００ｅｍｕ／ｇ、約２２５ｅｍｕ／ｇ、約２５０ｅｍｕ／ｇ以上、約２０ｅｍｕ／ｇ〜約２５０ｅｍｕ／ｇ、または約３５ｅｍｕ／ｇ〜約１００ｅｍｕ／ｇの範囲であり得る。この値は、粒子の最大磁界強度であるとみなすことができ、磁界への曝露時に粒子によって生成される磁性強度の測定値である。フェリ磁性粒子の磁気強度と組み合わせて、当該フェリ磁性粒子の透磁性は、約１０ｅｍｕ／ｇ、１５ｅｍｕ／ｇ、２０ｅｍｕ／ｇ、約２５ｅｍｕ／ｇ、約３０ｅｍｕ／ｇ、約３５ｅｍｕ／ｇ、約４０ｅｍｕ／ｇ、約４５ｅｍｕ／ｇ、約５０ｅｍｕ／ｇ、約７５ｅｍｕ／ｇ、約１００ｅｍｕ／ｇ、約１５０ｅｍｕ／ｇ、約１７５ｅｍｕ／ｇ、約２００ｅｍｕ／ｇ、約２２５ｅｍｕ／ｇ、約２５０ｅｍｕ／ｇ以上、約１０ｅｍｕ／ｇ〜約２５０ｅｍｕ／ｇ、または約３５ｅｍｕ／ｇ〜約１００ｅｍｕ／ｇの範囲の誘導磁界を生成するのに充分でなければならない。フェリ磁性粒子が暴露される磁界は、約７００エルステッド〜約８００エルステッド、約７２５エルステッド〜約７７５エルステッドの強度、約７００エルステッド、７２５、７５０、７７５もしくは約８００エルステッド以上、または以下の強度を有してもよい。
【００５２】
様々な例によると、フェリ磁性物質の残留磁気は、約０ｅｍｕ／ｇ〜約３０ｅｍｕ／ｇ、約０ｅｍｕ／ｇ〜約１０ｅｍｕ／ｇ、約１ｅｍｕ／ｇ〜約８ｅｍｕ／ｇ、約３ｅｍｕ／ｇ〜約５ｅｍｕ／ｇの範囲であってもよく、約０ｅｍｕ／ｇ、１、２、３、４、５、６、７、８、９、１０、１１、１２、１３、１４、１５、１６、１７、１８、１９、２０、２１、２２、２３、２４、２５、２６、２７、２８、２９または約３０ｅｍｕ／ｇ以下または以上であってもよい。
【００５３】
粒子の磁性構成要素は、磁性ナノ粒子、磁性サブマイクロメートル粒子、または磁性マイクロメートル粒子であってもよい。本明細書に記載のフェリ磁性粒子は、多くの異なる構造を有してもよい。例えば、フェリ磁性粒子は、ポリマーマトリックスまたはシリカマトリックスに組み込まれた磁性ナノ粒子、シリカシェルまたはポリマーシェルに封入された磁気ビーズ、有機リガンドで官能化された磁性ナノ粒子または磁気ビーズ、裸の磁性ナノ粒子または磁気ビーズであってもよい。フェリ磁性粒子がコアシェル粒子である例では、シェルは、本明細書に記載されるコーティングを含んでもよい。
【００５４】
Ｂ．コーティング
本開示のフェリ磁性粒子は、コーティングに囲まれたフェリ磁性コアを含んでもよい。一つの例では、フェリ磁性粒子は、一つ以上の非磁性物質の層でコーティングされる。表面上に鉄が露出していない被覆フェリ磁性粒子の使用により、サンプルの特定の下流操作に干渉する可能性のある鉄を除外することができる。コーティングは、例えば、ポリマー層、またはシリカ層であってもよい。
【００５５】
ポリマー層の例としては、ポリエチレン、ポリスチレン、ポリメチルメタクリレート、ポリビニルアルコール、または任意の他の適切なポリマーが挙げられる。シリカ層の例としては、二酸化ケイ素、ホウケイ酸塩、ソーダ石灰、チタン酸バリウム、および他のタイプのガラスが挙げられる。ポリマー層またはシリカ層は、フェリ磁性粒子の密度調整用であってもよい。例えば、ポリマー層またはシリカ層は、フェリ磁性粒子の密度を調整して、サンプルの密度、例えば水性サンプルの密度（例えば、およそ１ｇ／ｃｍ３）に近づけてもよい。
【００５６】
他の例では、他のタイプのコーティングとしては、アルミニウム、金、酸化亜鉛、または本明細書に記載される他のコーティングのいずれかなどの金属メッキが挙げられる。さらに、本明細書に記載されるコーティングのいずれも、蛍光色素または着色色素を含有してもよい。
【００５７】
コーティングはまた、標的分析物の選択的結合または非選択的結合のための、本明細書に記載されるものを含む捕捉試薬または官能基などのリガンドを含んでもよい。官能基は、例えば核酸などの生体分子吸着用であってもよく、それらはフェリ磁性粒子を被覆する官能基に非配列特異的および可逆的に結合することができる。ポリヌクレオチドは、ＤＮＡ、ＲＮＡ、またはポリアミド核酸（ＰＮＡ）であってもよい。一つの例では、官能基は、カルボキシル基である。これらの目的に適した官能基を含む様々なコーティングは、米国特許第５，７０５，６２８号、米国特許第５，８９８，０７１号、および米国特許第６，５３４，２６２号に記載されており、それらの教示内容は、参照によりその全体が本明細書に組み込まれる。本明細書に記載されるコーティングのいずれも、例えば石炭酸、ストレプトアビジン、アミン、ヒドラジド、シラノール、アジドなどの本明細書に記載の表面化学物質で官能基化されることができる。そしてそれらは、例えば、抗体、酵素、ＤＮＡ断片またはＲＮＡ断片、触媒などの生体分子でさらに官能基化されることができる。
【００５８】
いくつかの例では、コーティングは、捕捉試薬を含んでもよい。捕捉試薬は、サンプル中の分析物を捕捉するためのものであってもよい。フェリ磁性粒子の表面は、適切なリガンドまたは受容体（例えば、抗体、レクチン、オリゴヌクレオチド、他の親和性基、または本明細書に記載される他の捕捉試薬のいずれか）である捕捉試薬で被覆されてもよく、それらは混合物中の標的分析物または標的分析物群に選択的に結合することができる。いくつかの例では、捕捉試薬は抗体であってもよい。
【００５９】
当業者であれば、例えば、アプタマー、ナノ粒子、結合タンパク質などの任意の数の捕捉試薬が本目的に対して使用され得ることを認識するであろう。捕捉試薬は、特定の分析物、または例えば薬剤パネルもしくは内分泌パネルなどの特定の分析物パネルを捕捉するように設計されることができる。
【００６０】
あるいは、リガンドは酵素を含んでもよい。いくつかの実施形態では、酵素はコーティングに結合され、当該酵素の基質と選択的に相互作用してもよい。基質と相互作用した際に、酵素は基質を分解または消化するように機能してもよい。これは、酵素の作用を介した対象物質の生成を導き、またはサンプルからの基質の除去を導き得る。様々な実施形態によると、酵素はトリプシンであってもよい。
【００６１】
単層コーティングのみが記載されているが、一部の例では、複数層のコーティングが含み得ることを理解されたい。例えば、いくつかの例は、ポリマーコーティングを用いた卑金属コーティング、またはその上に官能基が配置された卑金属コーティングを含んでもよい。いくつかの例では、コーティング層は、フェリ磁性粒子に外部コーティングが充分に保持されるよう機能してもよい。
【００６２】
Ｃ．製造
フェリ磁性粒子は、ナノスケール〜マイクロスケールの磁性粒子を製造する任意の適切な方法を使用して製造され得る。一例として、米国特許第５，６４８，１２４号は、磁気応答性微粒子を作製する方法を開示しており、当該特許は、その全体で参照により本明細書に組み込まれる。フェリ磁性粒子は、本明細書に記載される任意の適切なフェリ磁性物質を使用して製造され得る。
【００６３】
例えば、フェリ磁性粒子は、まずフェリ磁性ナノ粒子を化学浴に添加することによって製造され得る。ナノ粒子は、無機シリカマトリクスに封入されてもよく、したがって、多数のフェリ磁性粒子を含有する微粒子が作製される。次いで超音波処理を使用して、これらの粒子を単分散式に製造することを補助してもよい。シリカマトリクスは上述されているが、個々のフェリ磁性ナノ粒子またはフェリ磁性マイクロ粒子が他の無機物質または有機物質に封入される可能性もある。例えば、フェリ磁性ナノ粒子は、ＳｉＯ２、ＴｉＯ２、ＺｎＯ２、Ａｌ２Ｏ３、ＣｅＯ２、または任意の適切なセラミック物質に封入され得る。さらなる例として、フェリ磁性ナノ粒子は、例えばポリアクリル酸（ＰＡＡ）、ポリ（アクリル酸メチル）（ＰＭＡ）、ポリスチレン（ＰＳ）、ジビニルベンゼン（ＤＶＢ）、ポリビニルピロリドン（ＰＶＰ）、またはポリビニルアルコール（ＰＶＡ）などの有機物質に封入され得る。
【００６４】
別の例では、強磁性物質を使用して、フェリ磁性粒子を製造してもよい。磁気の特性は、強磁性物質の構造を変えることによって変更することができる。ヘマタイト（Ｆｅ２Ｏ３）は、高純度で結晶化される場合、天然で強磁性である。しかしながら、ニッケルや亜鉛などの不純物が添加された場合、当該ニッケルおよび亜鉛は、結晶構造中の鉄の一部に代わり、天然の強磁性物質をフェリ磁性粒子に変えることができる。また異なる例では、強磁性ヘマタイトは、各粒子が一つの磁性ドメインを含むよう、５０ｎｍ未満のサイズに粉砕されることができる。この形態では、粒子は、超常磁性粒子であってもよい。例示的なフェリ磁性粒子は、シリカまたはポリマー中でまとめて結合されて、５０〜１００ｎｍのサイズのフェリ磁性マグネタイトナノ粒子から作製されてもよい。これらのナノ粒子は、超常磁性であるには大きすぎる。
【００６５】
ＩＩ．システム
本教示は概して、容器の周辺に配置された磁性アセンブリの影響下で移動する本開示のフェリ磁性粒子を利用して、容器中のサンプル（例えば、流体サンプル）を混合、分離、ろ過、または別手段により処理するサンプル処理方法およびサンプル処理システムに関する。
【００６６】
したがって、本開示のサンプル処理システムは、容器、フェリ磁性粒子、当該容器の周辺に配置された磁性アセンブリ、および当該磁性アセンブリに連結された制御構成要素を含み得る。磁性アセンブリは、少なくとも一つの磁性構造を備えてもよく、各磁性構造は、容器の周辺に配置された複数の電磁石を含む。各電磁石は、例えば、様々な工程を含むサンプル処理方法に従って、制御構成要素によって個別に制御され、フェリ磁性粒子に影響を及ぼすのに有効な望ましい磁界を容器内に生成する。いくつかの例では、磁性アセンブリは、複数の磁性構造を含んでもよい。磁性構造は、水平の層または実質的に水平の層に配置されてもよい。他の例では、磁性構造は、垂直の層または実質的に垂直の層に配置されてもよい。
【００６７】
さらに他の例では、磁性構造の下、上、および／またはその間に、磁気透過性の磁界短絡化の板または構造があってもよい。磁気透過性の磁界短絡板は、二つではなく一つの特定の場所に磁界を集中させることによって、電力消費を劇的に減少させる。
【００６８】
いくつかの例では、サンプル処理システムは、容器内にフェリ磁性粒子を集める能力を有する磁石または電磁石をさらに含んでもよく、それによって、フェリ磁性粒子は、容器中に配置されたサンプルから分離され得る。
【００６９】
当業者であれば、容器、磁性アセンブリ、および制御構成要素は、容器中に変化磁界（例えば、振動磁界、回転磁界）を生成するのに適した任意の様式で構成され得ることを認識するであろう。ＡｒｎｏｌｄらのＰＣＴ国際出願ＰＣＴ／ＩＢ２０１６／０５７１８９は、本開示での使用に適した流体処理用の電磁性アセンブリを開示しており、当該出願は、その全体で参照により本明細書に組み込まれる。
【００７０】
Ａ．容器
サンプル処理システムは、処理用サンプルを含有する容器を含んでもよい。容器は概して、その中に流体含有チャンバーを規定するサンプルウェル、バイアル、流体貯蔵部など、サンプル（例えば、流体サンプル）を保持するよう構成された任意のタイプの容器であってもよい。図２に示されるように、サンプル処理システム２００は、容器２２０を含んでもよい。例示的な容器２２０は、容器２２０内のサンプルが、一つ以上の液体装填／収集デバイス（図示せず）によって、開いた上部末端へと装填され、および／またはそこから取り出され得るように、開いた上部末端（大気圧に開放）から下部の閉鎖末端まで伸長されてもよい。当業者であれば、容器は、例えば、流体の漏洩、汚染、および／または蒸発を防止するために、様々な処理工程の間に、開放された上部末端（例えば、エッペンドルフ管）に連結され得る取り外し可能なキャップを含み得ることを理解するであろう。例示的な液体装填／収集デバイスとしては、限定されないが、手動サンプル装填デバイス（例えば、ピペット）、マルチチャネルピペットデバイス、音響液体処理デバイス、および／またはオートサンプラーが挙げられ、それらはすべて非限定的な例示である。
【００７１】
本明細書に記載されるサンプル処理システムは、マイクロスケールまたはマクロスケール（大容量フォーマットを含む）でサンプルを処理するように構成され得る。概して、マクロスケールはミリリットル範囲の流体体積を伴い、一方でマイクロスケールの流体処理は、例えばマイクロリットル、ナノリットル、またはピコリットルなどのミリリットル範囲を下回る流体体積を含む。大容量フォーマットは、１ｍＬを超える流体体積の処理を伴い得る。例えば、本教示の様々な態様によるサンプル処理システムは、例えば、約１．５ｍＬ、約２ｍＬ、約５ｍＬ、約１０ｍＬ、またはそれ以上を含む、約１０μＬ〜約１ｍＬ以上の流体体積を処理する能力を有し得る。しかしながら、本教示に照らして、サンプル処理システムは、本明細書に記載されるように操作することができる任意の流体体積を処理し得ることを認識するであろう。別の例では、容器は、約１０μＬ〜５００μＬの流体体積を処理することができる。
【００７２】
本教示の様々な態様によれば、本明細書に記載のシステムおよび方法は、様々な体積のサンプルで満たされ得る、または部分的に満たされ得る容器を利用することができ、それによって、例えば、サンプルの利用効率または経費に応じて、および／または特定のアッセイの要件に応じて、処理されるサンプル体積を減少または拡張させることができる。一部の態様では、処理されるサンプル（および当該サンプルを処理するために利用される試薬）は、（例えば、容器の開放末端を通して挿入されるオートサンプラーまたはピペットを介して）開放容器に直接添加されてもよく、同様に、例えば処理後に（例えば、収集構成要素を介して）そこから直接取り出されてもよい。
【００７３】
別の例として、容器は、連続的な流体の流れを有するチャンバーを含んでもよい。一部の態様では、例えば、容器は、開放ポートプローブ、管状部材を備えた開放ポートプローブ、サンプル流入のための入口、サンプル流出のための出口、および大気に開放されているチップ末端を備えてもよく、サンプルの流入および流出は、サンプルの定常状態レベルを維持するためにチップ末端に向けられるように構成されている。関連する態様では、開放ポートプローブは、その表面の少なくとも一部に分析物を有する基板をサンプルに受け入れさせて、当該基板表面からサンプルへ、分析物の少なくとも一部を移動させるよう構成されてもよい。非限定的な例として、基板は、固相マイクロ抽出（ＳＰＭＥ：ｓｏｌｉｄ  ｐｈａｓｅ  ｍｉｃｒｏｅｘｔｒａｃｔｉｏｎ）ファイバーであってもよい。
【００７４】
さらなる例として、開放ポートプローブは、サンプルを連続的に導入および抽出するように構成された開放末端チップを有する管を含み、チップ末端で定常状態のサンプルを提供してもよい。この特定の例では、開放ポートプローブは、同一軸配置で配置された、第二の円筒形状部材内に配置された第一の円筒形状部材を備えてもよい。サンプルは、この二つの円筒形状部材の間の環状空間を通ってチップ末端に向かって移動し、次いで、内側シリンダを通ってチップ末端から離れる。当然のことながら、流体の流入または流出がない場合、サンプルレベルは定常状態を維持し、そして多くの点で、開放ポートプローブは、例えばバイアルなどの前述の他の容器と類似した方法で操作される。開放ポートプローブを使用して、基板表面から分析物を抽出してもよく、基板表面は、チップ末端でサンプルと接触状態となる。いくつかの例では、フェリ磁性粒子は、開放ポートプローブのチップ末端でサンプル内に導入されてもよく、そして本明細書に記述された電磁石を含む、サンプル処理システムならびに磁性アセンブリおよび／または磁性構造と組み合わされて、フェリ磁性粒子は影響を受け、磁界が存在することによって、チップ末端からのサンプルの流出に抵抗し、チップ末端の近くに留まらせてもよい。さらに、磁性アセンブリおよび／または磁性構造は、フェリ磁性粒子を、磁界の存在によって限定されるＸ方向、Ｙ方向およびＺ方向に回転または前後に移動させる。電磁石は、チップ表面からフェリ磁性粒子が漏洩しないよう充分に強力であるように選択されてもよく、下流の永久磁石、または電磁石（図示せず）を使用して、フェリ磁性粒子を捕捉し、それによって任意の下流分析を汚染から防いでもよい。
【００７５】
円筒形状部材は管を説明する際に上述されたが、様々な断面形状を有する他の形状も利用され得ること、三角形、正方形、長方形、または任意の他の多面形状を含み得ることを理解されたい。電磁石を含む磁性アセンブリおよび／または磁性構造は、金属管の外に配置されてもよく、または金属管それ自体の一部であってもよく、チップで、またはチップ近くで金属に直接一体化されてもよい。
【００７６】
Ｂ．磁性アセンブリ
本明細書に記載されるシステム、デバイス、および方法は、多くの異なるサンプル処理システムと併せて使用することができるが、例示的なサンプル処理システム２００を図２に概略的に示す。サンプル処理システム２００は、本明細書に記載のシステム、デバイス、および方法の例に従って使用するための可能性のある一つのサンプル処理システムを提示しているにすぎず、他の構成および動作特性を有するサンプル処理システムおよび／またはそれらの構成要素もすべて同様に本明細書に記載されるシステム、デバイス、および方法に従って使用することができる。図２に示すように、例示的なサンプル処理システム２００は、少なくとも一つの磁性構造２１０を含む磁性アセンブリ２０５を含む。複数の電磁石２１０ａ〜ｄを備える磁性構造２１０。以下で詳述されるように、磁性アセンブリ２０５は、容器２２０内に変化する磁界または磁力を生成するように構成され、容器２２０に対して配置され得る少なくとも一つの磁性構造２１０を含み、その中に磁界を生成することができる。いくつかの例では、磁性アセンブリ２０５は、静磁界を生成し、それによってフェリ磁性粒子を収集するように構成され得る。各磁性構造２１０は、複数の電磁石２１０ａ〜ｄを備えてもよく、当該複数の電磁石２１０ａ〜ｄの各々は、磁性構造２１０の中心軸に向かって伸長する中心線の周りに配置される導電性コイルを有する。
【００７７】
上述のように、磁性アセンブリ２０５の各磁性構造２１０は、複数の電磁石２１０ａ〜ｄを含み得る。四つの電磁石２１０ａ〜ｄは、磁性構造２１０と関連付けられるが、例えば、本発明の教示はそれに限定されず、出願人の教示の様々な態様に従って動作する能力を有する任意の数の電磁石を使用することができることを認識されたい。例えば、磁性構造２１０は、２つの電磁石、３つの電磁石、４つの電磁石、５つの電磁石、６つの電磁石、７つの電磁石、８つの電磁石、９つの電磁石、１０つの電磁石、またはそれ以上を含み得る。電磁石は、例えば、強磁性コアソレノイドを含む、当業者に公知の任意の電磁石を含み得る。電磁石は、正方形、長方形、円形、楕円、または出願人の教示の様々な態様に従って動作することができる任意の他の形状を含む、様々な形状を有し得る。さらに一部の態様では、磁気レンズを利用して、容器内の電磁石によって生成される磁界を改変させる（例えば、再成形させる）ことができる。
【００７８】
本教示の様々な態様によれば、磁性構造２１０は、様々なサンプル処理システム２００および流体操作デバイスに組み込まれ得る。サンプル処理システムは、例えば、水平または実質的に水平の層に配置された一つまたは複数の磁性構造２１０を含み得る。追加的または代替的に、一部の例では、（例えば、垂直に間隔をおかれた異なる層の）様々な磁性構造２１０の電磁石を選択的に励磁させ、異なるサンプル体積を処理し、および／または磁性アセンブリ２０５によって生成される磁界の特性に影響を及ぼすことができる。
【００７９】
例えば、磁性アセンブリ２０５は、複数の磁性構造を含んでもよい。磁性構造の各々は、容器２２０の垂直軸に対して垂直または実質的に垂直な平面に配置された水平または実質的に水平な電磁石の層を含む。磁性構造の数によって示されるように、例示的な磁性アセンブリ２０５は、２つの磁性構造、３つの磁性構造、４つの磁性構造、５つの磁性構造、１０個の磁性構造、２０個の磁性構造、またはそれ以上を含む、複数の垂直に間隔を置かれた磁性構造の層を含み得る。さらに、図２において四つの電磁石２１０ａ〜ｄは、各磁性構造２１０と関連付けられて示されているが、本発明の教示はそれに限定されず、本明細書にさらに記載されるように、出願人の教示の様々な態様に従って動作する能力を有する任意の数の電磁石を使用することができることを認識されたい。加えて、各層の磁性構造は同一である必要はない。例えば、磁性構造の層の電磁石は、それらの中心線が容器２２０に向かって伸長するように配置され得るが、一部の態様では、別の層の電磁石は、異なる構成を有し得る。例として、磁性構造の層の電磁石は、電磁石の中心線を含有する平面に対して、実質的に直交して（または別のゼロではない角度で）方向付けられる。
【００８０】
磁性構造は、一つ以上の異なる垂直高さで容器２２０の周りに配置された複数の電磁石から形成されてもよく、各電磁石は、容器２２０内に所望の変化磁界（例えば、振動磁界、回転磁界など）を生成するように個々に制御され、容器内に配置されたフェリ磁性粒子に有効に影響を及ぼす。容器２２０を囲む複数の電磁石への電気信号の選択的な適用に基づいて、フェリ磁性粒子は、様々な電磁石によって生成された磁界の複合的効果により影響を受けて、流体サンプル内で回転、スピン、水平協調移動、および／または垂直上下移動し得る。例として、各磁性構造２１０（例えば、単一の水平層）の電磁石２１０ａ〜ｄに適用される信号は、実質的にｘ−ｙ平面において変化磁界を生成するように構成されてもよく、一方で異なる磁性構造の電磁石に適用される信号は、ｚ方向または垂直成分を呈する変化磁界を生じさせ得る。この方法において、複数の電磁石による複合効果は、容器２２０内に例えば異なる強度および／または方向性などの異なる特性を有する磁界を生じさせて、非限定的な例として、サンプル、および／またはサンプル内の捕捉標的分析物を迅速および効率的に混合することができる。
【００８１】
いくつかの例では、磁性構造２１０のうちの一つ以上の垂直位置は調整可能であり、例えば、異なるサンプル体積を処理するように調整可能であり、および／または磁性アセンブリ２０５により生成された磁界の特性に影響を及ぼすように調整可能である。例として、一部の態様では、磁性構造２１０は、例えば、容器２２０内のサンプルの量に応じて、本出願の教示の様々な態様に従って垂直に調整可能であり得る。例えば、フェリ磁性粒子および／または他の磁性構造に対する磁性構造２１０の位置は、容器２２０内の磁性アセンブリ２０５によって生成される磁界の位置、強さ、強度、方向、または他の特性に影響を及ぼし得ることを認識するであろう。この方法において、磁性構造２１０は様々な高さに移動して、異なる体積の流体を最適に処理する、および／または容器２２０内で生成された磁界の特徴を変えることができる。上記の説明は、磁性アセンブリ２０５の別の磁性構造に対する、一つの磁性構造の移動を提示しているが、磁性構造２１０の任意の数の層が、一つ以上の電磁石２１０ａ〜ｄの位置を調整するように、または磁性構造２１０のうちの一つ以上の位置を互いに対して調整するように、および／または容器２２０に対して磁性アセンブリ２０５全体の位置を調整するように構成される位置決め要素（図示せず）によって移動され得ることが認識される。位置決め要素の非限定的な例としては、回転アクチュエータ、線形アクチュエータ、サーボモータ、電子モータなどが挙げられる。いくつかの例では、容器２２０内のサンプルの体積は、デバイス（図示せず）を測定することにより測定されることができ、それによって位置決め要素は、容器２２０内のサンプルの実測体積および／もしくはサンプル処理プロトコルの要件に基づき、一つ以上の電磁石２１０ａ〜ｄの位置および／または磁性構造２１０の位置を自動的に調整することができる。いくつかの例では、位置決め要素は、ユーザーの入力、手動入力、サンプル処理プロトコル、および／または予め設定された体積に基づいて、一つ以上の電磁石２１０ａ〜ｄおよび／または磁性構造２１０の位置を調整するように構成され得る。
【００８２】
磁性アセンブリ内の各電磁石は、各電磁石のソレノイドを通過する電流がＡＣであるとき、変化する磁界を生成することができる。電流は、ソレノイドのコイルを通して方向を変化させるため、結果として生じる磁界の大きさおよび／または方向も変化し得る。いくつかの例では、磁性構造２１０の各電磁石２１０ａ〜ｄは、磁性構造２１０の他の電磁石が受ける交流電流と比較して、既定量だけ位相シフトされる交流電流を受けることができる。このようにして、各電磁石は、変化する磁界を生成することができる。容器内で生成された変化磁界のそれぞれの干渉は、回転磁界であってもよい。
【００８３】
Ｃ．制御構成要素
本出願の教示の様々な態様によれば、制御構成要素は、磁性アセンブリに連結されて、変化磁界を制御することができる。制御構成要素は、一つ以上の無線周波数（ＲＦ）信号、直流（ＤＣ）信号、交流（ＡＣ）信号などの適用を介して、磁性アセンブリの電磁石を差分的に作動させるように構成され得る。非限定的な例として、一部の態様では、制御構成要素は、（電流の）矩形波を複数の電磁石の各々に適用することによって、複数の電磁石の各々によって生成される磁界を制御するように構成され得る。例えば、矩形波は、約０．５Ｈｚ〜約３００Ｈｚ、または約２００Ｈｚ〜約３００Ｈｚの範囲の周波数を呈し得る。あるいは、いくつかの態様では、制御構成要素は、複数の電磁石の各々によって生成される磁界を制御するように構成されてもよく、当該複数の電磁石に適用されるＡＣ信号は、サンプル内のフェリ磁性粒子の所望の移動に影響を与えるように、互いに異なる位相遅延を呈する。各電磁石は、変化する磁界を生成することができる。例えば、電磁石に適用されるＡＣ波形は、振動磁界または回転磁界の生成をもたらし得る。制御構成要素は、磁界強度を調整するように構成され得る。
【００８４】
いくつかの例では、周波数は、制御構成要素によって、フェリ磁性粒子の応答性に対して調節可能である。例えばゆっくりと移動しているフェリ磁性粒子は、低い周波数を必要とし、それによって、磁石に向かって移動する時間が長くなる。一方で早く移動しているフェリ磁性粒子は、高い周波数を必要とし、それによって、容器の壁にすぐには移動しないようになる。当該粒子の速度は、複数の変数を含むことができ、例えば、（他の変数の中で）コア物質の磁気応答性、コア中の磁性物質の割合、粒子サイズ、および流体の粘度が挙げられる。例として、約１μｍ〜約２μｍのサイズのフェリ磁性粒子は、約２００Ｈｚの周波数に調整された磁界に曝され得る。いくつかの例では、非常に高い周波数を使用して、ＤＮＡ断片化に使用され得た円内でのビーズの混合ではなく、振動させることができる。
【００８５】
いくつかの例では、制御構成要素は、矩形波または正弦波を複数の電磁石の各々に適用することによって、複数の電磁石の各々によって生成される磁界を制御するように構成され得る。矩形波および正弦波の両方ともフェリ磁性粒子に同様の効果を与え得るが、デバイスにおいて、異なる波形は、電力レベルの使用量も異なる。これは、デバイスの熱産生量および電力使用量を最小化するのに有用であり得る。
【００８６】
制御構成要素は、電磁石に特定の磁界強度を生じさせるように構成され得る。本明細書に記載されるように、磁界強度の範囲は、粒子を移動させることができる限りにおいて任意の電磁石と同じ範囲であり得る。例としては、磁界は、約１０ｍＴ〜約１００ｍＴ、または約２０ｍＴ〜約８０ｍＴ、または約３０ｍＴ〜約５０ｍＴの強度を有する。一部の例では、より強力な電磁石を使用して、応答性が非常に低い微粒子を混合することができる。しかし、電力消費量の問題があり、そして小さな試験管やマイクロタイタープレートに適合させる必要性があることから、強力な電磁石は、特定の状況下では現実的ではない。磁界は、可能な限りサンプル内に集束されることができる。また、磁気の強度は距離の二乗に伴って減少するため、電磁石を可能な限りサンプルに近づけることができる。さらに他の例では、制御構成要素は、高応答性フェリ磁性粒子に対しては約１５ｍＴ〜約９０ｍＴの磁界強度を短期間生成して、フェリ磁性粒子を揺らすように構成され得る。磁界強度は、２５ｍＴ〜４０ｍＴの範囲であってもよい。
【００８７】
制御構成要素の例は、パルス幅変調を使用して２２ＫＨｚで電圧を制御して、３００Ｈｚの正弦波電流を生成するクラスＤ増幅器であってもよい。いくつかの例では、適切な電流波形を生成することができる他の適切なタイプの増幅器を使用することができる。クラスＤ増幅器は、矩形波電流や三角波電流ではなく正弦波電流を使用したときに最も良く機能し、最小量の可聴ノイズを生成し得る。
【００８８】
いくつかの例では、制御構成要素は、電磁石が約１０ｍＨ〜約５０ｍＨの自己インダクタンスを有するように、電磁石中に電流を生成することができる。他の例では、電磁石は、約２ｍＨ〜約１５ｍＨの自己インダクタンスを有し得る。
【００８９】
一部の態様では、非限定的な例として、フェリ磁性粒子を吸引することなくサンプルまたはサンプルの一部が容器から引き出されることができるように、電磁石を単離する（例えば、フェリ磁性粒子を容器の一方の側および／または垂直に引き出す）のにＤＣ信号は効果的であり得る。
【００９０】
一部の態様では、複数の電磁石のそれぞれに適用される少なくとも一つのＡＣ波形は、他の複数の電磁石の信号と比較して位相遅延を呈し得る。例えば位相遅延は、３０°の位相遅延、６０°の位相遅延、９０°の位相遅延、１２０°の位相遅延、１５０°の位相遅延、１８０°の位相遅延、２１０°の位相遅延、２４０°の位相遅延、２７０°の位相遅延、３００°の位相遅延、３３０°の位相遅延、３６０°の位相遅延、およびこれらの値（終点を含む）のいずれか二つの間の任意の値または範囲であってもよい。一つの態様では例えば、各磁性構造中（例えば、各水平層中）の４つの電磁石に適用される制御信号は、当該層の隣接電磁石と比較して±９０°のシフトを呈するＡＣ波形を含んでもよく、および／または磁性構造中の４つの電磁石に適用される制御信号は、（例えば、異なる水平層の）別の磁性構造中の垂直隣接する電磁石と比較して±９０°のシフトを呈するＡＣ波形を含んでもよい。いくつかの例では、磁性アセンブリによって生成される変化磁界は、回転磁界であってもよい。複数の電磁石のそれぞれに適用されるＡＣ波形は、位相遅延を呈し、回転磁界の生成をもたらしてもよい。いくつかの例では、回転磁界は、移動性の極性を有する磁界であってもよく、その反対極は中心点または軸の周りを回転する。当業者であれば、ＡＣ波形が必ずしも約０Ａを中心とはしないことを認識するであろう。
【００９１】
図３は、隣接する電磁石の間の例示的な磁界密度を示す。グラフは、２１０ａと２１０ｃ、２１０ｃと２１０ｄ、２１０ｄと２１０ｂ、ならびに２１０ｂと２１０ａの間の磁界密度を含む。プロットのｘ軸はラジアンを示し、ｙ軸は磁界密度を単位ｍＴで示す。本明細書に記載されるように、制御構成要素によって複数の電磁石の各々に適用されるＡＣ波形は、変化磁界を生成し得る。この例では、２１０ａと２１０ｃとの間の磁界密度は、０ラジアンで２５ｍＴであり得る。図３に示されるように、これら二つの電磁石の間の磁界密度は、正弦波として振動する。磁界密度は、隣接する電磁石のそれぞれの間で振動し得る。
【００９２】
図２を再び参照すると、例示的なサンプル処理システム２００は、磁性アセンブリ２０５に動作可能に連結され、複数の電磁石２１０ａ〜ｄによって生成される変化磁界（例えば、振動磁界、回転磁界）を制御するように構成される制御構成要素２３０を追加的に含む。様々な態様では、制御構成要素２３０は、複数の電磁石２１０ａ〜ｄに電気信号を供給するように構成された一つ以上の電源（図示せず）を制御するように構成され得る。
【００９３】
いくつかの例では、制御構成要素２３０は、電磁石２１０ａ〜ｄの各々の電磁石のソレノイドを通過する電流の振幅、周波数、および方向を制御することによって、電磁石２１０ａ〜ｄの各々により生成される磁界を調節するように動作することができる。いくつかの例では、電気信号は、無線周波数（ＲＦ）波形、ＤＣ電流、ＡＣ電流（例えば、矩形波形）などの形態であってもよい。実際に、本出願人の教示の様々な態様に従って、流体サンプルの混合を促進するよう動作することができる任意のタイプの電流が本明細書において予期されることを認識するであろう。例として、ＤＣ信号は、追加的または代替的に一つ以上の電磁石に適用され、容器の一つ以上の側面（およびバルク流体から外）に磁性粒子を引き出し、非限定的な例として、混合工程後の容器からの流体移動を補助する、および／または磁性粒子の吸引を妨害することができる。
【００９４】
様々な態様では、磁性構造２１０中の各電磁石２１０ａ〜ｄは、制御構成要素２３０によって個々にアドレス指定され、作動され得る。例えば、制御構成要素２３０は、一つ以上の電磁石が、他方の電磁石と比較して異なる磁界を生成するように、一つ以上の電磁石の各々に異なる相のＲＦ電気信号またはＡＣ電気信号を供給することができる。複数の電磁石２１０ａ〜ｄは、容器２２０に対して異なる場所に配置されることができ、したがって、同じ電気信号がそれらに適用された場合であっても、各電磁石により生成される磁界の配向は異なり得る。例えば、容器の反対側上に電磁石のペアを配置することができるため、各ペア中の電極により生成される磁界は、同じ方向であり得る。
【００９５】
このようにして、容器２２０内の磁性アセンブリ２０５によって生成される磁界は、サンプル内のフェリ磁性粒子の動きを操作するために迅速および効果的に制御され得る。いくつかの例では、電気信号およびその特性（例えば、位相シフト、周波数、振幅）は、サンプル処理プロトコルに従って様々な電磁石に適用され得る。本教示を参照することで、磁性アセンブリ２０５を利用して、限定されるものではないが、タンパク質アッセイ、サンプル誘導体化（例えば、ステロイド誘導体化、ガスクロマトグラフィー用のサンプル誘導体化など）、ならびに／またはサンプルの精製および脱塩を含む様々な処理において、サンプル内のフェリ磁性粒子を操作することができることを認識するであろう。この処理の後、処理サンプル（例えば、流体）は、例えば質量分析計（ＭＳ）、または本明細書に記載される分析用の任意の他の適切な分析器などの様々な分析装置（図示せず）に送達され得る。
【００９６】
様々な態様では、制御構成要素は、電磁石を作動させることができる任意のタイプのデバイスおよび／または電気的構成要素であってもよい。例えば、一部の態様では、制御構成要素は、磁性構造１４５の電磁石を制御するための命令を出すように構成されたアプリケーションを実行するように構成されたコンピューターデバイスなどの論理デバイス（図示せず）および／またはメモリを含むか、またはそれらに連結されてもよい。いくつかの例では、アプリケーションは、オペレーターの入力および／またはサンプル処理システム２００からのフィードバックに基づいて、命令を出してもよい。いくつかの例では、アプリケーションは、制御構成要素による実行のために一つ以上のサンプル処理プロトコルを含んでもよく、および／またはメモリが当該プロトコルを保存するよう構成されてもよい。
【００９７】
様々な関連する態様では、サンプル処理システムは、コントローラに動作可能に連結され、例えば、コントローラによって実行される少なくとも一つのサンプル処理プロトコルを保存するよう構成された少なくとも一つのメモリを含んでもよい。一部の態様では、システムは、少なくとも一つの流体を混合により処理するよう構成されてもよい。一部の態様では、システムは、流体分離を実行することにより少なくとも一つの流体を処理して、当該少なくとも一つの流体内の少なくとも一つの標的分析物を捕捉するよう構成されてもよい。
【００９８】
いくつかの例では、制御構成要素は、消磁を行うように構成されてもよい。消磁は、残留磁界を減少させ、および／または除去するプロセスである。制御構成要素は、フェリ磁性粒子中の残留磁力の量をさらに減少させるために、中程度の消磁を行うように構成されてもよい。
【００９９】
Ｄ．収集構成要素
いくつかの例では、収集構成要素は、容器の周辺に配置されてもよい。収集構成要素は、容器中のフェリ磁性粒子を収集することができ、それによって、フェリ磁性粒子をサンプルから分離することができる。
【０１００】
収集構成要素は、磁石を含んでもよい。例えば、収集構成要素は、強磁性物質を含む磁石を含んでもよい。いくつかの例では、収集構成要素は、フェリ磁性粒子がサンプル全体で混合された後に、容器の周辺に持ち込まれる。
【０１０１】
いくつかの例では、収集構成要素は、電磁石であってもよい。電磁石は、制御構成要素に動作可能に連結されてもよく、制御構成要素は、電磁石を制御することができる。電磁石は、制御構成要素からＤＣ電気信号を受信し、それによって静磁界を生成することができる。フェリ磁性粒子は、適用された静磁界の影響を通じて容器内の特定の領域を移動するように操作されることができる。
【０１０２】
他の例では、収集構成要素は、磁性アセンブリであってもよい。例えば、磁性構造の電磁石のうち一つ以上が、制御構成要素からのＤＣ電気信号を受信し、それによって静磁界を生成することができる。フェリ磁性粒子は、適用された静磁界の影響を通じて容器内の特定の領域を移動することができる。
【０１０３】
Ｅ．分析器
サンプル処理システムは、分析器を含んでもよい。いくつかの例では、分析器は、磁性アセンブリに隣接して配置されてもよい。他の例では、分析器は、容器に動作可能に連結されてもよい。当業者であれば、任意の適切な分析器を使用して、分析物またはサンプルを分析できることを認識するであろう。分析器は、例えば生体サンプルなどのサンプルを分析する能力を有する任意の好適な機器を含んでもよい。分析器の例としては、質量分析計、免疫分析器、血液分析器、微生物分析器、および／または分子生物分析器が挙げられる。ＰＣＴ出願ＰＣＴ／ＵＳ２０１８／０３３９２７は、複数の検出能力を有する統合型サンプル処理システムを開示しており、当該出願はその全体で参照により本明細書に組み込まれる。
【０１０４】
いくつかの例では、分析器は、標識（化学発光、電気化学発光、蛍光、放射性同位体、ＤＮＡなど）の検出に使用される免疫分析器であってもよく、または標識フリーシステムを使用する免疫分析器であってもよい。他のタイプの分析器としては、血液分析器、微生物分析器、化学分析器、尿分析器、生化学的分析器、および／または分子生物学的分析器が挙げられる。生体サンプルを分析するとき、任意の適切な組み合わせで、これらのタイプの分析器のうちの一つ以上を使用して、生体サンプルを分析してもよい。
【０１０５】
血液分析器を使用して、全血球計算値、赤血球沈降速度（ＥＳＲ）、および／または凝固検査を実施してもよい。自動細胞カウンターは、血液をサンプリングし、電気技術と光学技術の両方を使用して、細胞集団を定量、分類、および解説する。
【０１０６】
微生物分析器は、生物体の同一性を決定するための診断ツールとして機能し得る。いくつかの例では、微生物分析器は、感染性微生物を識別することができる。こうした分析器は、実施される試験のタイプに応じて、異なる基質を含有する遠心分離ローター中の複数の小サンプル試験マイクロウェルにおいて、またはマルチウェルパネルにおいて、生化学的物質を使用してもよい。
【０１０７】
分子生物学的分析器は、生体サンプルをその分子レベルで分析することができる装置であってもよい。分子生物学分析器の例は、例えば、ＤＮＡ分析器などの核酸分析器が挙げられる。
【０１０８】
化学分析器は、例えば、血清、血漿、尿、および脳脊髄液などの臨床サンプルにアッセイを行い、疾患または薬剤に関連する分析物の存在を検出することができる。化学分析器は、測光法を使用してもよい。測光法において、サンプルは適切な試薬と混合されて、色を生じさせる反応が発生する。分析物の濃度は、生じた色の強度を決定する。光度計は、サンプルで適切な波長の光で照らし、吸収された光の量を測定する。この量はサンプル中の分析物の濃度と直接相関する。化学分析器で使用される別の分析法は、イオン選択的電極（ＩＳＥ：ｉｏｎ  ｓｅｌｅｃｔｉｖｅ  ｅｌｅｃｔｒｏｄｅｓ）を使用して、例えば、Ｎａ＋、Ｋ＋、Ｃｌ−、およびＬｉ＋などのイオンを測定することである。ＩＳＥは、イオン選択膜を通過する電流を測定することによって、溶液中のイオン濃度を決定するセンサーである。
【０１０９】
「質量分析計」は、原子と分子の質量および相対濃度を測定することができる装置である。質量分析計の一例は、移動する荷電粒子に対する基礎磁力を利用するものである。基本的にこの装置はサンプルをイオン化し、次いで当該イオンの質量と電荷の比率に基づき、磁界を通してイオンを屈折させる。そして質量スペクトルを使用して、サンプルの元素記号または同位体特性、粒子の質量および分子の質量を決定し、例えばペプチドや他の化学化合物などの分子の化学構造を明らかにすることができる。市販の質量分析計は、飛行時間、四重極ＭＳ、イオントラップ（３Ｄ四重極、円筒形イオントラップ、線形四重極イオントラップ、オービトラップを含む）、フーリエ変換イオンサイクロトロン共鳴（ＦＴＭＳ：Ｆｏｕｒｉｅｒ  ｔｒａｎｓｆｏｒｍ  ｉｏｎ  ｃｙｃｌｏｔｒｏｎ  ｒｅｓｏｎａｎｃｅ）などを含む、質量選択の区分法に基づいて分類することができる。あるいは、イオン源（レーザー脱離、マトリクス支援レーザー脱離、熱イオン化、プラズマ、スパーク光源など）または検出器（電子増倍管（例えば、ファラデーカップおよびイオン対光子検出器など）、誘導検出器など）に基づいて区分されることができる。一つの例では、質量分析計は、トリプル四重極質量分析計であってもよい。
【０１１０】
ＩＩＩ．方法
サンプルを処理する方法は、本開示のフェリ磁性粒子を使用して実施されてもよい。本開示方法は、フェリ磁性粒子とサンプルを含む容器を提供することを含む。次いで当該容器は、磁性アセンブリによって生成される変化磁界に曝される。次いで当該サンプルは、当該容器中のフェリ磁性粒子を移動させることよって処理される。いくつかの例では、変化磁界は、回転磁界であってもよい。他の例では、変化磁界は、振動磁界であってもよい。
【０１１１】
いくつかの例では、フェリ磁性粒子が容器を通って移動するとき、当該フェリ磁性粒子は、サンプル中に配置された細胞に結合してもよい。フェリ磁性粒子が細胞に結合しても、磁性アセンブリによって生成された変化磁界の影響により、フェリ磁性粒子は移動し続けてもよい。そのため細胞は、サンプル全体を移動してもよい。他の例では、フェリ磁性粒子は、本明細書に記載されるように、細胞の収集／濃縮のために細胞に結合してもよい。さらに他の例では、フェリ磁性粒子は、細胞の識別のために細胞表面分子に結合してもよい。さらにフェリ磁性粒子を使用して、結合した表面分子を細胞膜から引き出してもよい。細胞改変に同様の方法を使用してもよい。
【０１１２】
他の例では、フェリ磁性粒子を使用して、細胞膜または細胞壁に穴をあけ、細胞内もしくは核内の粒子または試薬を得てもよい（試薬を基にした透過化ではなく、物理的な細胞透過化）。さらにフェリ磁性粒子を使用して、生細胞または死細胞または細胞構成要素を物理的に別々にしてもよい。さらにフェリ磁性粒子を使用して、あるタイプの細胞を別の細胞よりも選択的に破壊してもよい。いくつかの例では、フェリ磁性粒子を使用して、フェリ磁性粒子と大きな分子の間の衝突を介して、ＤＮＡ／ＲＮＡのような大きな分子を別々にしてもよい。他の例では、フェリ磁性粒子を使用して、凍結乾燥された試薬または粒子の再懸濁を加速してもよい。
【０１１３】
容器を変化磁界に曝した後、フェリ磁性粒子は、本明細書に記載されるように収集構成要素を用いて収集されてもよい。フェリ磁性粒子が収集構成要素で収集された後、サンプル処理プロトコルは、容器からサンプルの少なくとも一部を溶出することをさらに含んでもよい。サンプルの一部は、任意の適切な方法を使用して溶出されてもよい。
【０１１４】
サンプルの一部が溶出された後、分析を実施してもよい。分析は、上述のように、分析器により実施されてもよい。他の例では、フェリ磁性粒子を使用して、酵素消化またはタンパク質結合といった化学反応を加速してもよい。フェリ磁性粒子が移動するにつれ、変化磁界の影響によって（例えば、容器中の他の粒子との衝突を介して）容器中でフェリ磁性粒子はさらに移動することができ、したがって、サンプルは混合され、化学反応が加速される。
【０１１５】
さらに一部の例では、サンプルは、無機化合物または小さな物体を含んでもよい。フェリ磁性粒子は、磁性アセンブリによって生成された変化磁界によって容器中を移動することができる。フェリ磁性粒子は、サンプル中の無機化合物または小さな物体に結合してもよい。次いで、本明細書に記載されるようにさらなる分析を実施してもよい。他の例では、サンプル処理システムは、高い磁気応答性を有し得る磁性粒子を用いて使用されてもよく、これを使用してサンプル中の応答性の低い、もしくは非磁性の粒子または試薬を混合してもよい。
【０１１６】
いくつかの例では、フェリ磁性粒子は、本明細書に記載されるように磁性を有する強磁性流体であってもよい。サンプル処理システムは、変化磁界を使用して、サンプル全体にわたって強磁性流体を混合してもよい。
【０１１７】
異なる磁気応答性を有する複数の粒子型を容器中に配置してもよい。例えば、ＭｎＺｎフェライトを含むフェライトコアを含む第一のフェリ磁性粒子集団、およびＮｉＺｎフェライトを含むフェライトコアを含む第二のフェリ磁性粒子集団などの二つのフェリ磁性粒子集団を、容器中に配置してもよい。フェリ磁性粒子の各集団を使用して、同じサンプルから複数の分析物を選択的に分離してもよい（例えば、高応答性のＤＮＡ結合粒子を最初に分離し、続いて緩徐応答性のタンパク質結合粒子を分離する）。さらに、容器中に配置されたフェリ磁性粒子の各集団を、本明細書に記載される任意の目的に使用してもよい。
【０１１８】
さらに他の例では、フェリ磁性粒子は、本明細書に記載される連続流系に配置されてもよく、これによって、混合チャンバーを通って流れる試薬の連続的な混合が可能となる。
【０１１９】
ＩＶ．キット
本教示の様々な態様によれば、キットは、フェリ磁性粒子と容器を含んでもよい。フェリ磁性粒子は、容器中に配置されてもよい。キットはさらに、所望の分析方法用の試薬を含んでもよい。試薬は、例えば、生体分子などの特定の分析物の存在に関してサンプルを分析するなど、サンプルを処理または分析する間に使用され得る任意の適切な試薬（例えば、沈殿試薬、洗浄緩衝液、溶出緩衝液など）であってもよい。他の例では、キットは、本明細書に記載されるサンプル処理システムの任意の部分をさらに含んでもよい。
【０１２０】
Ｖ．実施例
実施例１．ＤＮＡ単離用の固相可逆固定化（ＳＰＲＩ：ｓｏｌｉｄ  ｐｈａｓｅ  ｒｅｖｅｒｓｉｂｌｅ  ｉｍｍｏｂｉｌｉｚａｔｉｏｎ）ビーズの調製
本開示の例に従うサンプル処理システムを使用して、例えばＤＮＡなどの核酸をサンプルから単離してもよい。本プロセスは、二つの主要パートである調製段階と手順段階を含んでもよい。
【０１２１】
調製段階は、ＳＰＲＩ結合緩衝溶液から始まる。ＳＰＲＩ結合緩衝溶液には、例えば、ＰＥＧ（ポリエチレングリコール）および塩（ＮａＣｌ）が含まれた。実施例６に記載されるように調製されたカルボキシル被覆フェリ磁性粒子を、ＳＰＲＩ結合緩衝溶液中に再懸濁した。フェリ磁性粒子の濃度は、標準的なＡｍｐｕｒｅＸＰ結合緩衝液の濃度に対して正規化した。当該緩衝液は、米国カリフォルニア州ブレアのＢｅｃｋｍａｎ  Ｃｏｕｌｔｅｒ社から商標名ＡＭＰｕｒｅ  ＸＰ（商標）で入手可能な製品の一部として供給された。
【０１２２】
ＳＰＲＩ結合緩衝溶液を調製した後、新たに８０％エタノール溶液を調製した。米国マサチューセッツ州イプスウィッチのＮｅｗ  Ｅｎｇｌａｎｄ  Ｂｉｏｌａｂｓ社のカタログ番号Ｎ３２３１Ｓで入手可能な１００ｂｐ  ＤＮＡラダーの２０μＬ分注物と、５８０μＬのＤＩ水を混合して、３０：１の希釈液を生成することによりＤＮＡサンプルを調製した。次に、制御構成要素の出力レベルを７５％に設定し、周波数を２００Ｈｚの正弦波に設定する。プレートおよび管は、蒸発による変動を低減させるために、可能な限り蓋をしたままとした。
【０１２３】
調製段階が完了した後、手順段階を開始した。いくつかの例では、以下の手順と並行して、標準的なＡｍｐｕｒｅＸＰ結合緩衝液を対照として用いて手動で同じ手順を実施した。希釈されたＤＮＡの一部を、別の対照として確保した。
【０１２４】
希釈されたＤＮＡを５０μＬ、およびフェリ磁性粒子混合物（例えば、ＳＰＲＩ結合緩衝溶液）９０μＬを、０．５ｍＬのエッペンドルフ管（例えば、容器）に加え、サンプル中のＤＮＡを選択的に沈殿させた。本明細書に記載のサンプル処理システムを使用して、エッペンドルフ管の内容物を完全に混合し、沈殿したＤＮＡをフェリ磁性粒子に結合させた。
【０１２５】
サンプルとフェリ磁性粒子を混合した後、フェリ磁性粒子を懸濁状態で維持しながら５分間、サンプルをインキュベートした。次に磁石（例えば、本明細書に記載される電磁石）を使用して、透明になるまで溶液からフェリ磁性粒子を分離させ、上清を取り除いた。
【０１２６】
次に、２００μＬのエタノールを容器に添加した。次いでサンプル処理システムを使用して容器の内容物を完全に混合し、フェリ磁性粒子を分離させて、上清をすべて除去した。
【０１２７】
５０μＬの脱イオン（ＤＩ）水を容器に加え、ＤＮＡをフェリ磁性粒子から溶出した。サンプル処理システムを使用して、サンプルを完全に混合した。次いで、フェリ磁性粒子を懸濁状態に維持しながら、サンプルを２分間インキュベートした。次いで磁石を使用して透明になるまで分離させ、溶出液を新しいプレートに移した。溶出液を新しいプレートに移動させた後、溶出ＤＮＡの濃度を、例えば、ＮａｎｏＤｒｏｐまたはＰｉｃｏＧｒｅｅｎアッセイを使用して測定した。次いで初期に希釈されたＤＮＡ濃度と、手動で実行されたＡｍｐｕｒｅＸＰ溶出濃度を比較した。
【０１２８】
ＳＰＲＩビーズをさらに作製および被覆するための方法を記載する様々な実施例を以下に提示する。
【０１２９】
実施例２．磁性コアの合成：マグネタイト（Ｆｅ３Ｏ４）コアの合成
磁性粒子の磁性コアは、２．１６ｇのＦｅＣｌ３６Ｈ２Ｏと、６４ｍＬのエチレングリコールを２００ｍＬのビーカー中で混合することによって調製され、固形物を含まない明褐色の溶液が生成された。５．７６ｇの酢酸ナトリウムと１．６ｇのポリエチレングリコール（ＰＥＧ  ４００）を溶液に加え、その後３０分間攪拌した。攪拌された溶液を１００ｍＬのオートクレーブリアクターに移し、その中で１８０℃に３６時間加熱した。３６時間後、加熱を止め、オートクレーブを室温に冷却した。得られたマグネタイトコア粒子の平均サイズは約１００ｎｍであり、これを永久磁石を使用して集め、次いで水で５回洗浄した。
【０１３０】
実施例３．ビーズ封入：磁性コア上のシリカコーティング
封入されたマグネタイトコアは、実施例２に従い調製された２０ｇの１００ｎｍマグネタイトコアを１Ｌビーカー中、８００ｍｌのメタノールに分散させることにより調製された。混合液を３０分間超音波処理して均一な懸濁液を得た。３７０ｍｌの２８％  水酸化アンモニアを懸濁液に加え、次いで３０分間攪拌した。超音波処理後、０．５ｍＬのオルトケイ酸テトラエチルと４．５ｍＬのメタノールを含む液体混合物を、０．５時間にわたりさらに超音波処理を行いながら滴下して懸濁液に加えた。超音波処理後、ビーカーを被覆し、懸濁液を連続して１５時間攪拌した。攪拌後、永久磁石を用いて封入ビーズを捕捉した。次いで封入ビーズを水で５回洗浄した。次いでビーズを２４時間、８０℃のオーブンで乾燥させた。
【０１３１】
実施例４．表面の官能化：シリカ被覆磁性コアのカルボキシル化
カルボキシル化シリカ被覆磁性コアは、実施例３に従い調製された４ｇのシリカ被覆磁性コア粒子を分散させることにより調製され、５００ｍＬのフラスコ中、１５０ｍＬのトルエンで攪拌しながら分散された。２０ｇの（３−トリエトキシシリル）プロピルコハク酸無水物を、攪拌しながらフラスコに加えた。次いで０．２ｇのイミダゾールを攪拌しながら加えて、均一な懸濁液を生成した。懸濁液を、１５時間攪拌しながら、約１１４℃で還流した。還流後、懸濁液を室温に冷却し、永久磁石を使用して懸濁液から固形物を収集した。固形物は最初に１回メタノールで洗浄され、次いで水で５回洗浄されて、５００ｍｌのフラスコに移された。１５０ｍｌの０．１Ｍ  酢酸水溶液を撹拌しながらフラスコに加え、均一な懸濁液を得た。懸濁液を、１５時間、９０℃に加熱した。懸濁液を室温に冷却した。永久磁石を使用して、懸濁液から固形物を収集した。固形物を水で５回洗浄し、６０℃のオーブンで１５時間乾燥させた。
【０１３２】
実施例５．ビーズ封入：磁性コア上のポリマーコーティング
封入ポリマー被覆磁性コアは、５００ｍｌフラスコ中、１００ｍｌの水で実施例２に従い調製された４ｇの１００ｎｍ磁性コアを攪拌しながら分散させることにより調製された。１０ｍＬのアクリル酸を攪拌しながら１ｇのＫ２Ｓ２Ｏ８と共にフラスコに加え、均一な懸濁液を得た。懸濁液を、攪拌しながら１５時間、８０℃に加熱した。次いで懸濁液を室温に冷却した。永久磁石を使用して、懸濁液から固形物を収集した。収集された固形物を水で５回洗浄し、６０℃で１５時間乾燥させた。
【０１３３】
実施例６．ビーズ封入：磁性コア上のポリマーコーティング
０．５ｇのＰＭＡ（ポリ−メチルビニルエーテルａｌｔ−マレイン酸無水物、ＭＷ  ２６０，０００）、３０ｇのアセトン、および２．０ｇの１００ｎｍ磁性コアを実施例２に従い調製し、２５０ｍＬフラスコに加えて一晩攪拌した。３０ｇのジオキサンをフラスコに加えた。フラスコ内の懸濁液を、最大で８０℃で、１０時間加熱した。生成物を永久磁石を使用して収集し、ジオキサンで１回、メタノールで３回洗浄した。洗浄された固形生成物を２５０ｍＬフラスコに移し、８５ｇの水と、１５ｇの１Ｍ酢酸（水溶液）を加えた。フラスコ内の懸濁液を、８０℃で３時間加熱した。固形生成物を収集し、水で５回洗浄した。最終固形生成物を、６０℃のオーブンで一晩乾燥させた。
【０１３４】
実施例７．表面の官能化：磁性コアのカルボキシル化
実施例２に従い調製された２ｇの１００ｎｍのマグネタイトコアを、フラスコ中で５ｇの（３−トリエトキシシリル）プロピルコハク酸無水物、および１００ｍＬのトルエンと混合した。混合液を攪拌して、均一な懸濁液を調製した。次いで懸濁液を加熱して、攪拌しながら２４時間還流した。２４時間後、加熱を止め、懸濁液を室温に冷却した。次いで永久磁石を使用して生成物を収集した。生成物をメタノールで１回洗浄し、続いて水で３回洗浄した。生成物を、１００ｍＬの０．１Ｍの酢酸水溶液が入ったフラスコに移し、攪拌して、均一な懸濁液を得た。次いで懸濁液を、攪拌しながら１５時間、９０℃に加熱した。１５時間後、加熱を止め、懸濁液を室温に冷却させた。永久磁石を使用して生成物を収集した。次いで生成物を水で３回洗浄した。次いで生成物を６０℃のオーブンで一晩乾燥させた。
【０１３５】
実施例８．トリプシン固定磁性ビーズの調製
実施例５に従って調製された０．５ｇのポリ（アクリル酸）被覆磁性ビーズを、２０ｍＬの０．１Ｍリン酸ナトリウム緩衝液（ｐＨ７．５）、および５０ｍｇのＴＰＣＫ処理トリプシンとともにフラスコ中で混合した。混合物を攪拌して、均一な懸濁液を調製した。２００ｍｇの１−シクロヘキシル−３−（２−モルホリノエチル）カルボジイミド  ｍｅｔｈｏ−ｐ−トルエンスルホン酸塩を懸濁液に加えた。懸濁液を、攪拌しながら２４時間、４℃に維持した。生成物を、永久磁石を使用して収集し、水で５回洗浄した。次いで生成物を、５０ｍＭの酢酸水溶液中に再分散させ、４℃で保存した。
【０１３６】
実施例９：核酸の単離
本開示の実施例によるサンプル処理システムを使用して、溶出ＤＮＡ濃度を測定してもよい。本プロセスは、二つの主要パートである調製段階と手順段階を含んだ。
【０１３７】
調製段階は、ＳＰＲＩ結合緩衝溶液から始まる。ＳＰＲＩ結合緩衝溶液には、例えば、ＰＥＧ（ポリエチレングリコール）および塩（ＮａＣｌ）が含まれた。次いで実施例６に従い調製されたカルボキシル被覆磁性粒子を、ＳＰＲＩ結合緩衝溶液中に再懸濁した。強磁性粒子の濃度は、標準的なＡｍｐｕｒｅＸＰ結合緩衝液の濃度に対して正規化した。当該緩衝液は、米国カリフォルニア州ブレアのＢｅｃｋｍａｎ  Ｃｏｕｌｔｅｒ社から商標名ＡＭＰｕｒｅ  ＸＰ（商標）で入手可能な製品の一部として供給された。
【０１３８】
ＳＰＲＩ結合緩衝溶液を調製した後、新たに８０％エタノール溶液を調製した。次に、米国マサチューセッツ州イプスウィッチのＮｅｗ  Ｅｎｇｌａｎｄ  Ｂｉｏｌａｂｓ社のカタログ番号Ｎ３２３１Ｓで入手可能な１００ｂｐ  ＤＮＡラダーの２０μＬ分注物と、５８０μＬのＤＩ水を混合して、３０：１の希釈液を生成することによりＤＮＡサンプルを調製した。次に、制御構成要素の出力レベルを１００％に設定し、周波数を５０Ｈｚの正弦波に設定した。プレートおよび管は、蒸発による変動を低減させるために、可能な限り蓋をしたままとした。
【０１３９】
調製段階が完了した後、手順段階を開始した。いくつかの例では、以下の手順と並行して、標準的なＡｍｐｕｒｅＸＰ結合緩衝液を対照として用いて手動で同じ手順を実施した。希釈されたＤＮＡの一部を、別の対照として確保した。
【０１４０】
希釈されたＤＮＡを５０μＬ、およびフェリ磁性粒子混合物（例えば、ＳＰＲＩ結合緩衝溶液）を９０μＬを、０．５ｍＬのポリメラーゼ連鎖反応（ＰＣＲ）管（例えば、容器）に加え、サンプル中のＤＮＡを選択的に沈殿させた。本明細書に記載のサンプル処理システムを使用して、容器の内容物を完全に混合し、沈殿したＤＮＡを磁性粒子に結合させた。
【０１４１】
サンプルとフェリ磁性粒子を混合した後、フェリ磁性粒子を懸濁状態で維持しながら５分間、サンプルをインキュベートした。次に磁石（例えば、本明細書に記載される電磁石）を使用して、透明になるまで溶液からフェリ磁性粒子を分離させ、上清を取り除いた。
【０１４２】
２００μＬの８０％エタノールを容器に加えた。次いでサンプル処理システムを使用してフェリ磁性粒子を分離させて、上清を除去した。
【０１４３】
５０μＬの脱イオン（ＤＩ）水を容器に加え、ＤＮＡを磁性粒子から溶出させた。サンプル処理システムを使用して、サンプルを完全に混合した。次いで、フェリ磁性粒子を懸濁状態に維持しながら、サンプルを２分間インキュベートした。次いで磁石を使用して透明になるまで分離させ、溶出液を新しいプレートに移した。溶出液を新しいプレートに移動させた後、溶出ＤＮＡの濃度を、例えば、ＮａｎｏＤｒｏｐまたはＰｉｃｏＧｒｅｅｎアッセイを使用して測定した。次いで初期に希釈されたＤＮＡ濃度と、手動で実行されたＡｍｐｕｒｅＸＰ溶出濃度を比較した。
【０１４４】
ミキサー中の磁気ビーズに関し、単離されたＤＮＡ量を図４Ａに示す。比較のために、図４Ｂは、対応する手順を使用したが混合を行っていない、磁気ビーズで単離されたＤＮＡの量を示す。さらなる実施例として、図４Ｃは、対照ビーズを用いて手動の混合手順を使用し単離されたＤＮＡの量を示す。対照ビーズは、以下において比較ビーズ１として指定される常磁性ビーズとした。図４Ｄは、各実施例におけるＤＮＡの投入レベルを示す。
【０１４５】
実施例１０．トリプシン消化
磁気ビーズを使用して、以下の手順に従ってトリプシン消化を行った。米国カリフォルニア州カールスバッドのＩｎｖｉｔｒｏｇｅｎ社から商標名１０ＸＰＢＳ（商標）で入手可能なリン酸緩衝生理食塩水（ＰＢＳ）ストックを１０倍希釈した。ＰＢＳ中、５ｍｇ／ｍＬのチトクロムＣタンパク質溶液を調製した。  ０．１２２ｍＬのＰＢＳ、０．１２５ｍＬの５ｍｇ／ｍＬ  チトクロムＣタンパク質溶液を、１．５ｍＬバイアルに入れた。実施例７に従い調製されたトリプシン固定磁気ビーズを、水で３回洗浄した。水を除去して、ビーズ沈殿物を得た。０．０１ｍＬ（ペレット体積）のトリプシン固定ビーズを、１．５ｍＬバイアルに入れた。バイアルを磁気ミキサー上に取り付け、１５０Ｈｚおよび８０ｍＴで２０分間混合して、トリプシン消化を実施した。混合後、０．０２７８ｍＬの１％ギ酸を加えることによって、消化を停止させた。０．１ｍＬの溶液を、ＨＰＬＣ分析のために採取した。ＨＰＬＣ分析の結果を図５に示す。図には消化生成物が示されている。ＨＰＬＣの条件は以下の通りであった：
・移動相：Ａ−水中、０．１％  ＴＦＡ／ＦＡ；Ｂ−ＡＣＮ中、０．１％  ＴＦＡ／ＦＡ。
・勾配：０〜０．５分  １％Ｂ、３０．５分で１〜５０％Ｂ、５分で５０％Ｂ、９５％Ｂで３分間のクリーンアップ、１％Ｂで５分間、再−ＥＱ。
・流速：０．３ｍＬ／分
・温度：４０℃
・ＵＶ検出器：２１４ｎｍ。
・注入：２μｌ。
【０１４６】
実施例１１．磁気ビーズの適合性の特徴解析
様々な磁気ビーズを、１）水中で混合するのに充分な磁気応答性である能力、２）ポリエチレングリコール、塩化ナトリウムの水溶液中で混合するのに充分な磁気応答性である能力、３）磁気的に塊化しない能力、４）カルボキシルで被覆される能力、５）核酸を単離する能力、および６）核酸を充分な収率で単離する能力、に関して試験した。
【０１４７】
特性１〜３を評価するために、様々なビーズの５μＬ溶液を、１４０Ｌの水、またはポリエチレングリコール、塩化ナトリウムの水溶液に、ウェル中で加えた。それらビーズが混合するのに充分な磁気応答性であるかを判断するために、ウェルの底部にビーズを磁気的に引き込み、次いで電磁ミキサーで混合した。粒子が液体表面まで完全に分散するようであれば、当該粒子は混合するのに充分な応答性であると決定され、表２において「ｙ」と示された。溶液に混合しなかった場合、粒子は混合するのに充分な磁気応答性ではないと決定され、表２において「ｎ」と示された。もし電磁混合中に磁性粒子が粒子塊へと凝集しなかった場合、粒子は塊化しなかったとみなされ、表２で「ｙ」と示された。もし混合中に塊が存在した場合、粒子は塊化したとみなされ、表２において「ｎ」と示された。４）にあるように、ビーズがカルボキシルで被覆され得るかを判定するために、当該ビーズに実施例４と実質的に同じ手順を行い、カルボキシル被覆され得たビーズは、表２で「ｙ」と識別され、カルボキシル被覆され得なかったビーズは、表２で「ｎ」と示されている。
【０１４８】
５）にあるように、ビーズを使用してＤＮＡが単離され得るかを判定するために、５０μＬのＤＮＡサンプルをウェルに添加し、ビーズと混合した。ＤＮＡを単離したビーズは、表２において「ｙ」と示され、ＤＮＡを単離しなかったビーズは、表２において「ｎ」で示されている。６）にあるように、ビーズを使用してＤＮＡを単離し、投入ＤＮＡの６０％〜９０％の充分な収率を達成することができたかを判定するために、収率を計算し、充分であった場合には表２において、「ｙ」と示され、ＤＮＡを単離せず、充分な収率を達成しなかったビーズは表２において、「ｎ」と示されている。
【０１４９】
表１は、上述の特性について試験された様々なビーズのリストを提示する。データは、本開示に従って作製されたビーズのみが、本開示の各々の望ましい態様を提供したことを示す。構造または磁性が異なっていたビーズは、ミキサー中での使用に不適合であることが証明され、それらビーズは、特性１〜６またはそれらの組み合わせのいずれか一つに失敗した。比較例として試験されたビーズには、Ｇｅｎｅｒａｌ  Ｅｌｅｃｔｒｉｃ社、Ｃｈｅｍｉｃｅｌｌ社、Ｂａｎｇｓ  Ｌａｂｏｒａｔｏｒｉｅｓ社、Ｐｅｌｉｔｅｘ社、Ｓｐｈｅｒｏｔｅｃｈ社、Ｃｒｅａｔｉｖｅ  Ｄｉａｇｎｏｓｔｉｃｓ社、Ｌｕｍｉｇｅｎ社、Ｐｅｒｆｉｎｉｔｙ社、Ｏｃｅａｎ  ＮａｎｏＴｅｃｈ社、Ｃｏｓｐｈｅｒｉｃ社、およびＢｉｏＣｈａｉｎ社により製造されたビーズが含まれる。試験された多くのビーズのうちで、望ましい態様１〜６をもたらしたものはなかった。この点を説明するために、表１および表２において、比較ビーズとして設計されたこれらのビーズのサンプルを本開示の磁気ビーズと比較する。
表１．磁気ビーズ
【表１】
2021531461.tif 000003
表２：磁気ビーズの特性
【表２】
2021531461.tif 000004
上記の説明は例示的なものであり、限定的なものではない。本開示の多くの変形例が、本開示を検討すると当業者に明らかになるであろう。したがって、本開示の範囲は、上記の説明を参照して決定されるべきではなく、その代わりに、係属中の特許請求の範囲およびそれらの全範囲または同等物を参照して決定されるべきである。
【０１５０】
任意の実施例からの一つ以上の特徴を、本開示の範囲から逸脱することなく、任意の他の実施例の一つ以上数の特徴と組み合わせることができる。
【０１５１】
「ａ」、「ａｎ」、または「ｔｈｅ」の記述は、特に反対の指示がない限り、「一つ以上」を意味することを意図する。
【０１５２】
上述のすべての特許、特許出願、刊行物、および説明は、それらの全体が参照により本明細書に組み込まれる。
【０１５３】
追加的態様
以下に例示的な態様が提示されているが、その番号は、重要性のレベルを指定するとは解釈されないものとする。
【０１５４】
態様１は、以下を含むサンプル処理システムを提供する：
処理のためにサンプルを受け取るよう構成された容器；
当該容器中に配置されたフェリ磁性粒子；
当該容器中に変化磁場を生成し、それにより当該容器中を当該フェリ磁性粒子が移動するための、当該容器の周辺に配置された磁性アセンブリ；および
当該変化磁場を制御するために、当該磁性アセンブリに連結された制御構成要素。
【０１５５】
態様２は、当該フェリ磁性粒子がフェライトコアを含む、態様１に記載のサンプル処理システムを提供する。
【０１５６】
態様３は、当該フェライトコアが、ソフトフェライトを含む、態様２に記載のサンプル処理システムを提供する。
【０１５７】
態様４は、当該フェライトコアが、以下からなる群から選択される、態様２または３のいずれか一つに記載のサンプル処理システムを提供する：
コバルトフェライト；
ＭｎＺｎフェライト；および
ＮｉＺｎフェライト。
【０１５８】
態様５は、以下をさらに含む、態様１〜４のいずれか一つに記載のサンプル処理システムを提供する：
当該容器中に配置されたサンプル。
【０１５９】
態様６は、当該フェリ磁性粒子がコーティングをさらに含む、態様５に記載のサンプル処理システムを提供する。
【０１６０】
態様７は、当該コーティングが、フェリ磁性粒子の密度を調整して流体の密度に近づけさせるためのポリマー層またはシリカ層である、態様６に記載のサンプル処理システムを提供する。
【０１６１】
態様８は、当該コーティングが、サンプル中の分析物を捕捉するための捕捉試薬を含む、態様６または７のいずれか一つに記載のサンプル処理システムを提供する。
【０１６２】
態様９は、当該捕捉試薬が、抗体である、態様８に記載のサンプル処理システムを提供する。
【０１６３】
態様１０は、当該コーティングが、核酸を吸着するための官能基を含む、態様６〜９のいずれか一つに記載のサンプル処理システムを提供する。
【０１６４】
態様１１は、当該官能基が、カルボキシル基である、態様１０に記載のサンプル処理システムを提供する。
【０１６５】
態様１２は、当該サンプルが、生体分子を含む、態様１〜１１のいずれか一つに記載のサンプル処理システムを提供する。
【０１６６】
態様１３は、当該生体分子が、核酸またはタンパク質である、態様１２に記載のサンプル処理システムを提供する。
【０１６７】
態様１４は、以下をさらに含む、態様１〜１３のいずれか一つに記載のサンプル処理システムを提供する：
容器中のフェリ磁性粒子を収集し、それによって、フェリ磁性粒子をサンプルから分離させることができる、収集構成要素。
【０１６８】
態様１５は、当該磁性アセンブリがさらに、少なくとも一つの磁性構造を含み、各磁性構造は、複数の電磁石を含み、当該複数の電磁石の各々は、当該磁性構造の中心軸に向かって伸長する中心線の周りに配置される導電性コイルを有する、態様１〜１４のいずれか一つに記載のサンプル処理システムを提供する。
【０１６９】
態様１６は、サンプルを処理するための方法を提供し、当該方法は、以下を含む：
フェリ磁性粒子とサンプルを含む容器を提供すること；および
当該容器を変化磁界に曝し、それによって、当該容器中のフェリ磁性粒子を移動させてサンプルを処理すること。
【０１７０】
態様１７は、当該処理が、サンプル中の分析物を捕捉することを含む、態様１６に記載の方法を提供する。
【０１７１】
態様１８は、当該フェリ磁性粒子が、サンプル中の分析物を捕捉するための捕捉試薬を含む、態様１７に記載の方法を提供する。
【０１７２】
態様１９は、当該捕捉試薬が、抗体である、態様１８に記載の方法を提供する。
【０１７３】
態様２０は、当該フェリ磁性粒子が、分析物を吸着するための官能基を含む、態様１７〜１９のいずれか一つに記載の方法を提供する。
【０１７４】
態様２１は、当該分析物が核酸であり、当該官能基がカルボキシル基である、態様２０に記載の方法を提供する。
【０１７５】
態様２２は、以下をさらに含む、態様１６〜２１のいずれか一つに記載の方法を提供する：
収集構成要素を用いて、フェリ磁性粒子を収集すること；および
容器から、サンプルの少なくとも一部を溶出させること。
【０１７６】
態様２３は、当該処理が、容器中のフェリ磁性粒子の移動によってサンプルを加熱すること、または混合することを含む、態様１６〜２２のいずれか一つに記載の方法を提供する。
【０１７７】
態様２４は、当該フェリ磁性粒子がフェライトコアを含む、態様１６〜２３のいずれか一つに記載の方法を提供する。
【０１７８】
態様２５は、当該フェライトコアが、ソフトフェライトを含む、態様２４に記載の方法を提供する。
【０１７９】
態様２６は、当該フェライトコアが、以下からなる群から選択される、態様２５に記載の方法を提供する：
コバルトフェライト；
ＭｎＺｎフェライト；および
ＮｉＺｎフェライト。
【０１８０】
態様２７は、当該フェリ磁性粒子がコーティングをさらに含む、態様１６〜２６のいずれか一つに記載の方法を提供する。
【０１８１】
態様２８は、当該コーティングが、フェリ磁性粒子の密度を調整して流体の密度に近づけさせるためのポリマー層またはシリカ層である、態様２７に記載の方法を提供する。
【０１８２】
態様２９は、当該サンプルが、生体分子を含む、態様１６〜２８のいずれか一つに記載の方法を提供する。
【０１８３】
態様３０は、当該生体分子が、核酸またはタンパク質である、態様２９に記載の方法を提供する。
【０１８４】
態様３１は、以下を含むサンプル処理システムを提供する：
処理のためにサンプルを受け取るよう構成された容器；
当該容器中に配置された磁性粒子であって、当該磁性粒子は、約２０ｅｍｕ／ｇ〜約２５０ｅｍｕ／ｇの範囲の最大磁界強度、および約０ｅｍｕ／ｇ〜約３０ｅｍｕ／ｇの範囲の残留磁気を有する、磁性粒子；
当該容器中に変化磁場を生成し、それにより当該容器中を当該磁性粒子が移動するための、当該容器の周辺に配置された磁性アセンブリ；および
当該変化磁場を制御するために、当該磁性アセンブリに連結された制御構成要素。
【０１８５】
態様３２は、当該磁性粒子が、フェリ磁性粒子、強磁性粒子、常磁性粒子、超常磁性粒子、またはそれらの混合物を含む、態様３１に記載のサンプル処理システムを提供する。
【０１８６】
態様３２は、当該磁性粒子がフェリ磁性粒子を含む、態様３１に記載のサンプル処理システムを提供する。
【０１８７】
態様３４は、当該磁性粒子の最大磁界強度が、約３５ｅｍｕ／ｇ〜約１００ｅｍｕ／ｇの範囲である、態様３１または３３のいずれか一つに記載のサンプル処理システムを提供する。
【０１８８】
態様３５は、当該磁性粒子の残留磁気が、約０ｅｍｕ／ｇ〜約１０ｅｍｕ／ｇの範囲である、態様３１〜３４のいずれか一つに記載のサンプル処理システムを提供する。
【０１８９】
態様３６は、当該磁性粒子が多孔質であり、個々の孔の孔サイズが約５Å〜約１０００Åの範囲内である、態様３１〜３５のいずれか一つに記載のサンプル処理システムを提供する。
【０１９０】
態様３７は、当該磁性粒子が多孔質であり、個々の孔の孔サイズが約５０Å〜約５００Åの範囲内である、態様３１〜３６のいずれか一つに記載のサンプル処理システムを提供する。
【０１９１】
態様３８は、当該磁性粒子がフェライトコアを含む、態様３１〜３７のいずれか一つに記載のサンプル処理システムを提供する。
【０１９２】
態様３９は、当該フェライトコアが、ソフトフェライトを含む、態様３１〜３８のいずれか一つに記載のサンプル処理システムを提供する。
【０１９３】
態様４０は、当該フェライトコアが、Ｆｅ２ＴｉＯ２、ＦｅＴｉＯ２、ＭｎＦｅ２Ｏ４、ＮｉＦｅ２Ｏ４、ＭｇＦｅ２Ｏ４、Ｆｅ７Ｓ８、Ｆｅ３Ｓ４、ＦｅＳ、およびＦｅＯＯＨからなる群から選択される、態様３１〜３９のいずれか一つに記載のサンプル処理システムを提供する。
【０１９４】
態様４１は、以下をさらに含む、態様３１〜４０のいずれか一つに記載のサンプル処理システムを提供する：
当該容器中に配置されたサンプル。
【０１９５】
態様４２は、当該磁性粒子がコーティングをさらに含む、態様３１〜４１のいずれか一つに記載のサンプル処理システムを提供する。
【０１９６】
態様４３は、当該コーティングが、ＳｉＯ２、ＴｉＯ２、ＺｎＯ２、Ａｌ２Ｏ３、ＣｅＯ２、セラミック、ポリアクリル酸、ポリ（アクリル酸メチル）、ポリスチレン、ジビニルベンゼン、ポリビニルピロリドン、ポリビニルアルコール、またはそれらの混合物を含む、態様４２に記載のサンプル処理システムを提供する。
【０１９７】
態様４４は、当該コーティングが、サンプル中の分析物を捕捉するための捕捉試薬を含む、態様４２または４３のいずれか一つに記載のサンプル処理システムを提供する。
【０１９８】
態様４５は、当該捕捉試薬が、チオール基、ストレプトアビジン、アミン基、ヒドロキシル基、トシル基、エポキシ基、アルキル基、ビニル基、アリール基、酵素、タンパク質、デオキシリボ核酸、リボ核酸、免疫グロブリンＧ、カルボキシル基、またはモノクローナル抗体を含む、態様４４に記載のサンプル処理システムを提供する。
【０１９９】
態様４６は、当該コーティングが、酵素を含み、当該サンプルが、酵素の基質を含む、態様４２に記載のサンプル処理システムを提供する。
【０２００】
態様４７は、当該サンプルが、生体分子を含む、態様３１〜４６のいずれか一つに記載のサンプル処理システムを提供する。
【０２０１】
態様４８は、当該生体分子が、核酸またはタンパク質である、態様４７に記載のサンプル処理システムを提供する。
【０２０２】
態様４９は、以下をさらに含む、態様３１〜４８のいずれか一つに記載のサンプル処理システムを提供する：
容器中の磁性粒子を収集し、それによって、磁性粒子をサンプルから分離させることができる、収集構成要素。
【０２０３】
態様５０は、当該磁性アセンブリがさらに、少なくとも一つの磁性構造を含み、各磁性構造は、複数の電磁石を含み、当該複数の電磁石の各々は、当該磁性構造の中心軸に向かって伸長する中心線の周りに配置される導電性コイルを有する、態様３１〜４９のいずれか一つに記載のサンプル処理システムを提供する。
【０２０４】
態様５１は、当該磁性粒子の透磁性が、約７００エルステッド〜約８００エルステッドの範囲の強度を有する磁界への曝露時に、約１０ｅｍｕ／ｇ〜約２５０ｅｍｕ／ｇの範囲で誘導磁界を生成するのに充分である、態様３１〜５０のいずれか一つに記載のサンプル処理システムを提供する。
【０２０５】
態様５２は、当該磁性粒子の透磁性が、約７００エルステッド〜約８００エルステッドの範囲の強度を有する磁界への曝露時に、約３５ｅｍｕ／ｇ〜約１００ｅｍｕ／ｇの範囲で誘導磁界を生成するのに充分である、態様３１〜５１のいずれか一つに記載のサンプル処理システムを提供する。
【０２０６】
態様５３は、サンプルを処理する方法を提供し、当該方法は、以下を含む：
磁性粒子、および溶液中のサンプルを含有する容器を提供することであって、当該磁性粒子は、当該粒子の表面上にリガンドを有し、当該リガンドは、当該サンプル中の対象分析物と選択的に相互作用し、当該磁性粒子が、約２０ｅｍｕ／ｇ〜約２５０ｅｍｕ／ｇの範囲の最大磁界強度と、約０ｅｍｕ／ｇ〜約３０ｅｍｕ／ｇの範囲の残留磁気を有すること、
当該溶液をインキュベートして、当該対象分析物を、当該磁性粒子の表面上のリガンドと接触させること、
当該容器を磁界に曝し、それによって当該磁性粒子を当該サンプルから分離させること。
【０２０７】
態様５４は、当該リガンドが、チオール基、ストレプトアビジン、アミン基、ヒドロキシル基、トシル基、エポキシ基、アルキル基、ビニル基、アリール基、酵素、タンパク質、デオキシリボ核酸、リボ核酸、免疫グロブリンＧ、カルボキシル基、またはモノクローナル抗体を含む捕捉試薬である、態様５３に記載の方法を提供する。
【０２０８】
態様５５は、当該分析物が核酸であり、当該官能基がカルボキシル基である、態様５３または５４のいずれか一つに記載の方法を提供する。
【０２０９】
態様５６は、以下をさらに含む、態様５３〜５５のいずれか一つに記載の方法を提供する：
収集構成要素を用いて、磁性粒子を収集すること；および
容器から、サンプルの少なくとも一部を溶出させること。
【０２１０】
態様５７は、当該容器中の磁性粒子の移動によってサンプルを加熱すること、または混合することをさらに含む、態様５３〜５６のいずれか一つに記載の方法を提供する。
【０２１１】
態様５８は、最大磁界強度が、約３５ｅｍｕ／ｇ〜約１００ｅｍｕ／ｇの範囲である、態様５３〜５７のいずれか一つに記載の方法を提供する。
【０２１２】
態様５９は、当該磁性粒子の残留磁気が、約０ｅｍｕ／ｇ〜約１０ｅｍｕ／ｇの範囲である、態様５３〜５８のいずれか一つに記載の方法を提供する。
【０２１３】
態様６０は、当該磁性粒子が多孔質であり、個々の孔の孔サイズが約５Å〜約１０００Åの範囲内である、態様５３〜５９のいずれか一つに記載の方法を提供する。
【０２１４】
態様６１は、当該磁性粒子が多孔質であり、個々の孔の孔サイズが約５０Å〜約５００Åの範囲内である、態様５３〜６０のいずれか一つに記載の方法を提供する。
【０２１５】
態様６２は、当該磁性粒子がフェライトコアを含む、態様５３〜６１のいずれか一つに記載の方法を提供する。
【０２１６】
態様６３は、当該フェライトコアが、ソフトフェライトを含む、態様６２に記載の方法を提供する。
【０２１７】
態様６４は、当該フェライトコアが、Ｆｅ２ＴｉＯ２、ＦｅＴｉＯ２、ＭｎＦｅ２Ｏ４、ＮｉＦｅ２Ｏ４、ＭｇＦｅ２Ｏ４、Ｆｅ７Ｓ８、Ｆｅ３Ｓ４、ＦｅＳ、およびＦｅＯＯＨからなる群から選択される、態様６１〜６３のいずれか一つに記載の方法を提供する。
【０２１８】
態様６５は、当該磁性粒子がコーティングをさらに含む、態様５３〜６４のいずれか一つに記載の方法を提供する。
【０２１９】
態様６６は、当該コーティングが、ＳｉＯ２、ＴｉＯ２、ＺｎＯ２、Ａｌ２Ｏ３、ＣｅＯ２、セラミック、ポリアクリル酸、ポリ（アクリル酸メチル）、ポリスチレン、ジビニルベンゼン、ポリビニルピロリドン、ポリビニルアルコール、またはそれらの混合物を含む、態様６５に記載の方法を提供する。
【０２２０】
態様６７は、当該対象分析物が、生体分子を含む、態様５３〜６６のいずれか一つに記載の方法を提供する。
【０２２１】
態様６８は、当該生体分子が、核酸またはタンパク質である、態様６７に記載の方法を提供する。
【０２２２】
態様６９は、当該リガンドが酵素であり、当該対象分析物が酵素の基質である、態様５３〜６８のいずれか一つに記載の方法を提供する。
【０２２３】
態様７０は、当該酵素が、基質を分解する、態様６９に記載の方法を提供する。
【０２２４】
態様７１は、当該磁性粒子が、フェリ磁性粒子、強磁性粒子、常磁性粒子、超常磁性粒子、またはそれらの混合物を含む、態様５３〜７０のいずれか一つに記載の方法を提供する。
【０２２５】
態様７２は、当該磁性粒子の透磁性が、約７００エルステッド〜約８００エルステッドの範囲の強度を有する磁界への曝露時に、約１０ｅｍｕ／ｇ〜約２５０ｅｍｕ／ｇの範囲で誘導磁界を生成するのに充分である、態様５３〜７１のいずれか一つに記載の方法を提供する。
【０２２６】
態様７３は、当該磁性粒子の透磁性が、約７００エルステッド〜約８００エルステッドの範囲の強度を有する磁界への曝露時に、約３５ｅｍｕ／ｇ〜約１００ｅｍｕ／ｇの範囲で誘導磁界を生成するのに充分である、態様５３〜７２のいずれか一つに記載の方法を提供する。
【０２２７】
態様７４は、サンプル溶液を処理するための磁性粒子を提供し、当該磁性粒子は、以下を含む：
約２０ｅｍｕ／ｇ〜約２５０ｅｍｕ／ｇの範囲の最大磁界強度、および約０ｅｍｕ／ｇ〜約１０ｅｍｕ／ｇの範囲の残留磁気を有する磁性物質；および
リガンドを含有する外表面であって、当該リガンドが、当該サンプル溶液中の対象分析物と相互作用する、外表面。
【０２２８】
態様７５は、最大磁界強度が、約３５ｅｍｕ／ｇ〜約１００ｅｍｕ／ｇの範囲である、態様７４に記載の磁性粒子を提供する。
【０２２９】
態様７６は、当該磁性粒子の残留磁気が、約０ｅｍｕ／ｇ〜約１０ｅｍｕ／ｇの範囲である、態様７４または７５のいずれか一つに記載の磁性粒子を提供する。
【０２３０】
態様７７は、当該磁性粒子が多孔質であり、個々の孔の孔サイズが約５Å〜約１０００Åの範囲内である、態様７４〜７６のいずれか一つに記載の磁性粒子を提供する。
【０２３１】
態様７８は、当該磁性粒子が多孔質であり、個々の孔の孔サイズが約５０Å〜約５００Åの範囲内である、態様７４〜７７のいずれか一つに記載の磁性粒子を提供する。
【０２３２】
態様７９は、当該磁性物質がソフトフェライトを含む、態様７４〜７８のいずれか一つに記載の磁性粒子を提供する。
【０２３３】
態様８０は、当該磁性物質が、Ｆｅ２ＴｉＯ２、ＦｅＴｉＯ２、ＭｎＦｅ２Ｏ４、ＮｉＦｅ２Ｏ４、ＭｇＦｅ２Ｏ４、Ｆｅ７Ｓ８、Ｆｅ３Ｓ４、ＦｅＳ、およびＦｅＯＯＨからなる群から選択される、態様７４〜７９のいずれか一つに記載の磁性粒子を提供する。
【０２３４】
態様８１は、当該外表面が、ＳｉＯ２、ＴｉＯ２、ＺｎＯ２、Ａｌ２Ｏ３、ＣｅＯ２、セラミック、ポリアクリル酸、ポリ（アクリル酸メチル）、ポリスチレン、ジビニルベンゼン、ポリビニルピロリドン、ポリビニルアルコール、またはそれらの混合物を含む、態様７４〜８０のいずれか一つに記載の磁性粒子を提供する。
【０２３５】
態様８２は、当該リガンドが、チオール基、ストレプトアビジン、アミン基、ヒドロキシル基、トシル基、エポキシ基、アルキル基、ビニル基、アリール基、酵素、タンパク質、デオキシリボ核酸、リボ核酸、免疫グロブリンＧ、カルボキシル基、またはモノクローナル抗体を含む捕捉試薬である、態様７４〜８１のいずれか一つに記載の磁性粒子を提供する。
【０２３６】
態様８３は、当該リガンドが酵素であり、当該対象分析物が酵素の基質である、態様７４〜８２のいずれか一つに記載の磁性粒子を提供する。
【０２３７】
態様８４は、当該酵素が、基質を分解する、態様８３に記載の磁性粒子を提供する。
【０２３８】
態様８５は、当該磁性物質が、フェリ磁性物質、強磁性物質、常磁性物質、超常磁性物質、またはそれらの混合物を含む、態様７４〜８４に記載の磁性粒子を提供する。
【０２３９】
態様８６は、当該磁性粒子の透磁性が、約７００エルステッド〜約８００エルステッドの範囲の強度を有する磁界への曝露時に、約１０ｅｍｕ／ｇ〜約２５０ｅｍｕ／ｇの範囲で誘導磁界を生成するのに充分である、態様７４〜８５のいずれか一つに記載の磁性粒子を提供する。
【０２４０】
態様８７は、当該磁性粒子の透磁性が、約７００エルステッド〜約８００エルステッドの範囲の強度を有する磁界への曝露時に、約３５ｅｍｕ／ｇ〜約１００ｅｍｕ／ｇの範囲で誘導磁界を生成するのに充分である、態様７４〜８６のいずれか一つに記載の磁性粒子を提供する。
【０２４１】
態様８８は、サンプル溶液を処理するための磁性粒子を提供し、当該磁性粒子は、以下を含む：
磁性物質を含むコアまたは内層；および
当該サンプル溶液中の対象分析物に選択的に結合する捕捉試薬を含む外表面層であって、
当該磁性粒子は、約２０ｅｍｕ／ｇ〜約２５０ｅｍｕ／ｇの範囲の最大磁界強度、および約０ｅｍｕ／ｇ〜約１０ｅｍｕ／ｇの範囲の残留磁気を有する。
【０２４２】
態様８９は、当該磁性粒子の最大磁界強度が、約３５ｅｍｕ／ｇ〜約１００ｅｍｕ／ｇの範囲である、態様８８に記載の磁性粒子を提供する。
【０２４３】
態様９０は、残留磁気が、約０ｅｍｕ／ｇ〜約１０ｅｍｕ／ｇの範囲である、態様８８または８９のいずれか一つに記載の磁性粒子を提供する。
【０２４４】
態様９１は、当該磁性粒子が多孔質であり、個々の孔の孔サイズが約５Å〜約１０００Åの範囲内である、態様８８〜９０のいずれか一つに記載の磁性粒子を提供する。
【０２４５】
態様９２は、当該磁性粒子が多孔質であり、個々の孔の孔サイズが約５０Å〜約５００Åの範囲内である、態様８８〜９１のいずれか一つに記載の磁性粒子を提供する。
【０２４６】
態様９３は、当該コアまたは内層が、ソフトフェライトを含む、態様８８〜９２のいずれか一つに記載の磁性粒子を提供する。
【０２４７】
態様９４は、当該コアまたは内層が、Ｆｅ２ＴｉＯ２、ＦｅＴｉＯ２、ＭｎＦｅ２Ｏ４、ＮｉＦｅ２Ｏ４、ＭｇＦｅ２Ｏ４、Ｆｅ７Ｓ８、Ｆｅ３Ｓ４、ＦｅＳ、およびＦｅＯＯＨからなる群から選択される物質を含む、態様８８〜９３のいずれか一つに記載の磁性粒子を提供する。
【０２４８】
態様９５は、当該外表面層が、ＳｉＯ２、ＴｉＯ２、ＺｎＯ２、Ａｌ２Ｏ３、ＣｅＯ２、セラミック、ポリアクリル酸、ポリ（アクリル酸メチル）、ポリスチレン、ジビニルベンゼン、ポリビニルピロリドン、ポリビニルアルコール、またはそれらの混合物を含む、態様８８〜９４のいずれか一つに記載の磁性粒子を提供する。
【０２４９】
態様９６は、当該外表面層がさらに、チオール基、ストレプトアビジン、アミン基、ヒドロキシル基、トシル基、エポキシ基、アルキル基、ビニル基、アリール基、酵素、タンパク質、デオキシリボ核酸、リボ核酸、免疫グロブリンＧ、カルボキシル基、またはモノクローナル抗体を含む捕捉試薬を含む、態様８８〜９５のいずれか一つに記載の磁性粒子を提供する。
【０２５０】
態様９７は、当該磁性粒子が、フェリ磁性物質、強磁性物質、常磁性物質、超常磁性物質、またはそれらの混合物を含む、態様８８〜９６のいずれか一つに記載の磁性粒子を提供する。
【０２５１】
態様９８は、当該磁性粒子の透磁性が、約７００エルステッド〜約８００エルステッドの範囲の強度を有する磁界への曝露時に、約１０ｅｍｕ／ｇ〜約２５０ｅｍｕ／ｇの範囲で誘導磁界を生成するのに充分である、態様８８〜９７のいずれか一つに記載の磁性粒子を提供する。
【０２５２】
態様９９は、当該磁性粒子の透磁性が、約７００エルステッド〜約８００エルステッドの範囲の強度を有する磁界への曝露時に、約３５ｅｍｕ／ｇ〜約１００ｅｍｕ／ｇの範囲で誘導磁界を生成するのに充分である、態様８８〜９８のいずれか一つに記載の磁性粒子を提供する。
【０２５３】
態様１００は、サンプルを処理する方法を提供し、当該方法は、以下を含む：
粒子の表面上にリガンドを有する磁性粒子を提供することであって、当該リガンドは、当該サンプル中の対象分析物と選択的に相互作用し、当該磁性粒子が、約２０ｅｍｕ／ｇ〜約２５０ｅｍｕ／ｇの範囲の最大磁界強度と、約０ｅｍｕ／ｇ〜約１０ｅｍｕ／ｇの範囲の残留磁気を有する、提供すること；および
対象分析物を含む溶液と磁性粒子を接触させて、リガンドと対象分析物を相互作用させること。
【０２５４】
態様１０１は、磁性粒子を磁界に曝し、それによって当該磁性粒子を溶液から分離させることをさらに含む、態様１００に記載の方法を提供する。
【０２５５】
態様１０２は、当該リガンドが、捕捉試薬である、態様１００または１０１のいずれか一つに記載の方法を提供する。
【０２５６】
態様１０３は、当該捕捉試薬が、チオール基、ストレプトアビジン、アミン基、ヒドロキシル基、トシル基、エポキシ基、アルキル基、ビニル基、アリール基、酵素、タンパク質、デオキシリボ核酸、リボ核酸、免疫グロブリンＧ、またはモノクローナル抗体である、態様１０２に記載の方法を提供する。
【０２５７】
態様１０４は、当該分析物が核酸であり、当該官能基がカルボキシル基である、態様１００〜１０３のいずれか一つに記載の方法を提供する。
【０２５８】
態様１０５は、当該リガンドが酵素であり、当該対象分析物が酵素の基質である、態様１００〜１０４のいずれか一つに記載の方法を提供する。
【０２５９】
態様１０６は、当該酵素が、基質を分解する、態様１０５に記載の方法を提供する。
【０２６０】
態様１０７は、以下をさらに含む、態様１００〜１０６のいずれか一つに記載の方法を提供する：
収集構成要素を用いて、磁性粒子を収集すること；および
サンプルの少なくとも一部を溶出させること。
【０２６１】
態様１０８は、当該磁性粒子の移動によってサンプルを加熱すること、または混合することをさらに含む、態様１００〜１０７のいずれか一つに記載の方法を提供する。
【０２６２】
態様１０９は、当該磁性粒子の最大磁界強度が、約３５ｅｍｕ／ｇ〜約１００ｅｍｕ／ｇの範囲である、態様１００〜１０８のいずれか一つに記載の方法を提供する。
【０２６３】
態様１１０は、当該磁性粒子の残留磁気が、約０ｅｍｕ／ｇ〜約１０ｅｍｕ／ｇの範囲である、態様１００〜１０９のいずれか一つに記載の方法を提供する。
【０２６４】
態様１１１は、当該磁性粒子が多孔質であり、個々の孔の孔サイズが約５Å〜約１０００Åの範囲内である、態様１００〜１１０のいずれか一つに記載の方法を提供する。
【０２６５】
態様１１２は、当該磁性粒子が多孔質であり、個々の孔の孔サイズが約５０Å〜約５００Åの範囲内である、態様１００〜１１１のいずれか一つに記載の方法を提供する。
【０２６６】
態様１１３は、当該磁性粒子が、フェリ磁性コア、強磁性コア、常磁性コア、または超常磁性コアを含む、態様１００〜１１２のいずれか一つに記載の方法を提供する。
【０２６７】
態様１１４は、当該磁性粒子が、フェライトコアを含む、態様１００〜１１３のいずれか一つに記載の方法を提供する。
【０２６８】
態様１１５は、当該フェライトコアが、ソフトフェライトを含む、態様１１４に記載の方法を提供する。
【０２６９】
態様１１６は、当該フェライトコアが、Ｆｅ２ＴｉＯ２、ＦｅＴｉＯ２、ＭｎＦｅ２Ｏ４、ＮｉＦｅ２Ｏ４、ＭｇＦｅ２Ｏ４、Ｆｅ７Ｓ８、Ｆｅ３Ｓ４、ＦｅＳ、およびＦｅＯＯＨからなる群から選択される、態様１１４〜１１５のいずれか一つに記載の方法を提供する。
【０２７０】
態様１１７は、当該磁性粒子が、コーティングをさらに含む、態様１００〜１１６のいずれか一つに記載の方法を提供する。
【０２７１】
態様１１８は、当該コーティングが、ＳｉＯ２、ＴｉＯ２、ＺｎＯ２、Ａｌ２Ｏ３、ＣｅＯ２、セラミック、ポリアクリル酸、ポリ（アクリル酸メチル）、ポリスチレン、ジビニルベンゼン、ポリビニルピロリドン、ポリビニルアルコール、またはそれらの混合物を含む、態様１１７に記載の方法を提供する。
【０２７２】
態様１１９は、当該対象分析物が、生体分子を含む、態様１００〜１１８のいずれか一つに記載の方法を提供する。
【０２７３】
態様１２０は、当該生体分子が、核酸またはタンパク質である、態様１１９に記載の方法を提供する。
【０２７４】
態様１２１は、当該磁性粒子の透磁性が、約７００エルステッド〜約８００エルステッドの範囲の強度を有する磁界への曝露時に、約１０ｅｍｕ／ｇ〜約２５０ｅｍｕ／ｇの範囲で誘導磁界を生成するのに充分である、態様１００〜１２０のいずれか一つに記載の方法を提供する。
【０２７５】
態様１２２は、当該磁性粒子の透磁性が、約７００エルステッド〜約８００エルステッドの範囲の強度を有する磁界への曝露時に、約３５ｅｍｕ／ｇ〜約１００ｅｍｕ／ｇの範囲で誘導磁界を生成するのに充分である、態様１００〜１２１のいずれか一つに記載の方法を提供する。
（項目１）
サンプル溶液を処理するための磁性粒子であって、
約２０ｅｍｕ／ｇ〜約２５０ｅｍｕ／ｇの範囲の最大磁界強度、および約０ｅｍｕ／ｇ〜約３０ｅｍｕ／ｇの範囲の残留磁気を有する磁性物質；および
リガンドを含有する外表面であって、前記リガンドが、前記サンプル溶液中の対象分析物と相互作用する、外表面、を含む、磁性粒子。
（項目２）
前記磁性物質が、フェリ磁性物質を含む、項目１に記載の磁性粒子。
（項目３）
前記磁性物質が、Ｆｅ２ＴｉＯ２、ＦｅＴｉＯ２、ＭｎＦｅ２Ｏ４、ＮｉＦｅ２Ｏ４、ＭｇＦｅ２Ｏ４、Ｆｅ７Ｓ８、Ｆｅ３Ｓ４、ＦｅＳ、またはＦｅＯＯＨを含む、項目１または２に記載の磁性粒子。
（項目４）
前記リガンドが、チオール基、ストレプトアビジン、アミン基、ヒドロキシル基、トシル基、エポキシ基、アルキル基、ビニル基、アリール基、酵素、タンパク質、デオキシリボ核酸、リボ核酸、免疫グロブリンＧ、カルボキシル基、またはモノクローナル抗体を含む捕捉試薬である、項目１〜３のいずれか一項に記載の磁性粒子。
（項目５）
前記リガンドが、カルボキシル基を含む、項目１〜４のいずれか一項に記載の磁性粒子。
（項目６）
前記最大磁界強度が、約３５ｅｍｕ／ｇ〜約１００ｅｍｕ／ｇの範囲である、項目１〜５のいずれか一項に記載の磁性粒子。
（項目７）
前記残留磁気が、約０ｅｍｕ／ｇ〜約１０ｅｍｕ／ｇの範囲である、項目１〜６のいずれか一項に記載の磁性粒子。
（項目８）
サンプルを処理する方法であって、
粒子の表面上にリガンドを有する前記磁性粒子を提供することであって、前記リガンドは、前記サンプル中の対象分析物と選択的に相互作用し、前記磁性粒子が、約２０ｅｍｕ／ｇ〜約２５０ｅｍｕ／ｇの範囲の最大磁界強度と、約０ｅｍｕ／ｇ〜約３０ｅｍｕ／ｇの範囲の残留磁気を有する、提供すること；および
前記対象分析物を含む溶液と前記磁性粒子を接触させて、前記リガンドと前記対象分析物を相互作用させること、を含む、方法。
（項目９）
前記磁性粒子を磁界に曝し、それによって前記磁性粒子を前記溶液から分離させることをさらに含む、項目８に記載の方法。
（項目１０）
前記対象分析物が、核酸である、項目８または９のいずれか一項に記載の方法。
（項目１１）
前記最大磁界強度が、約３５ｅｍｕ／ｇ〜約１００ｅｍｕ／ｇの範囲である、項目８〜１０のいずれか一項に記載の方法。
（項目１２）
前記残留磁気が、約０ｅｍｕ／ｇ〜約１０ｅｍｕ／ｇの範囲である、項目８〜１１のいずれか一項に記載の方法。
（項目１３）
前記磁性粒子が、フェリ磁性物質を含む、項目８〜１２のいずれか一項に記載の方法。
（項目１４）
前記磁性粒子が、Ｆｅ２ＴｉＯ２、ＦｅＴｉＯ２、ＭｎＦｅ２Ｏ４、ＮｉＦｅ２Ｏ４、ＭｇＦｅ２Ｏ４、Ｆｅ７Ｓ８、Ｆｅ３Ｓ４、ＦｅＳ、またはＦｅＯＯＨを含む、項目８〜１３のいずれか一項に記載の方法。
（項目１５）
前記リガンドが、チオール基、ストレプトアビジン、アミン基、ヒドロキシル基、トシル基、エポキシ基、アルキル基、ビニル基、アリール基、酵素、タンパク質、デオキシリボ核酸、リボ核酸、免疫グロブリンＧ、カルボキシル基、またはモノクローナル抗体を含む捕捉試薬である、項目８〜１４のいずれか一項に記載の方法。
【図１】
2021531461.tif 000005
【図２】
2021531461.tif 000006
【図３】
2021531461.tif 000007
【図４】
2021531461.tif 000008
【図５】
2021531461.tif 000009
【国際調査報告】
2021531461.tif 000010
2021531461.tif 000011
2021531461.tif 000012